(57)【要約】      （修正有）【課題】無線通信システムにおいて、ユーザ機器（ＵＥ）ビームフォーミングを有効又は無効にする方法を提供する。【解決手段】ネットワークノードは、ＵＥビームフォーミングを有効又は無効にするためにＵＥに指示を送信する２２０２。指示は、ランダムアクセス手順を開始するのにも役立つ。指示は、他の情報と共に送信される２２０４。他の情報は、ランダムアクセスに関する構成情報を含む。指示及び他の情報は、同じ無線リソース制御（ＲＲＣ）メッセージを介して提供される。ＵＥは、指示の受信に応答して、ランダムアクセス手順を開始する。【選択図】図２２
2018029333.tif 000002
【特許請求の範囲】
【請求項１】
ネットワークノードについての方法であって、
ユーザ機器（ＵＥ）ビームフォーミングを有効又は無効のいずれか一方にさせかつランダムアクセス手順を開始させる指示をＵＥに送信するステップを含む、方法。
【請求項２】
前記ネットワークノードが、前記指示と共に情報を送信するステップをさらに含む、請求項１に記載の方法。
【請求項３】
前記情報は、前記ランダムアクセス手順に関する構成情報を少なくとも含む、請求項２に記載の方法。
【請求項４】
前記指示及び前記情報は、同じ無線リソース制御（ＲＲＣ）メッセージによって提供される、請求項２に記載の方法。
【請求項５】
前記指示は、前記ＵＥのセルに対するＵＥビームフォーミングを有効又は無効のいずれか一方にする指示を含む、請求項１に記載の方法。
【請求項６】
ユーザ機器（ＵＥ）についての方法であって、
ＵＥビームフォーミングを有効又は無効のいずれか一方にする指示を受信するステップと、
前記指示の受信に応答して、ランダムアクセス手順を開始するステップと、を含む方法。
【請求項７】
前記ＵＥは、前記指示の受信に応答して、ＵＥビームフォーミングを有効にして、ランダムアクセス手順を実行する、請求項６に記載の方法。
【請求項８】
前記ＵＥは、前記指示と共に情報を受信する、請求項６に記載の方法。
【請求項９】
前記情報は、前記ランダムアクセス手順に関する構成情報を少なくとも含む、請求項８に記載の方法。
【請求項１０】
前記指示及び前記情報は、同じ無線リソース制御（ＲＲＣ）メッセージによって提供される、請求項８に記載の方法。
【請求項１１】
前記ＵＥは、前記指示の受信に応答して、関連するパワーヘッドルームレポートをトリガする、請求項６に記載の方法。
【請求項１２】
前記指示は、前記ＵＥのセルに対するＵＥビームフォーミングを有効又は無効のいずれか一方にする指示を含む、請求項６に記載の方法。
【請求項１３】
ネットワークノードであって、
制御回路と、
前記制御回路に設けられたプロセッサと、
前記制御回路に設けられ、前記プロセッサに結合されたメモリと、を含み、
前記プロセッサは、前記メモリに記憶されたプログラムコードを実行して、
ユーザ機器（ＵＥ）ビームフォーミングを有効又は無効のいずれか一方にさせかつランダムアクセス手順を開始させる指示をＵＥに送信し、
前記指示と共に情報を送信する、
ように構成されており、前記情報は、前記ランダムアクセス手順に関する構成情報を少なくとも含む、ネットワークノード。
【請求項１４】
無線リソース制御（ＲＲＣ）メッセージが、前記指示及び前記情報を一緒に前記ＵＥに提供するのに使用される、請求項１３に記載のネットワークノード。
【請求項１５】
前記指示は、前記ＵＥのセルに対するＵＥビームフォーミングを有効又は無効のいずれか一方にする指示を含む、請求項１３に記載のネットワークノード。
【請求項１６】
ユーザ機器（ＵＥ）であって、
制御回路と、
前記制御回路に設けられたプロセッサと、
前記制御回路に設けられ、前記プロセッサに結合されたメモリと、を含み、
前記プロセッサは、前記メモリに記憶されたプログラムコードを実行して、
ＵＥビームフォーミングを有効又は無効のいずれか一方にする指示を受信し、
前記指示の受信に応答して、ランダムアクセス手順を開始する、
ように構成されている、ＵＥ。
【請求項１７】
前記ＵＥは、前記指示の受信に応答して、ＵＥビームフォーミングを有効にして、前記ランダムアクセス手順を実行するように構成されている、請求項１６に記載のＵＥ。
【請求項１８】
前記ＵＥは、前記指示と共に情報を受信するように構成されている、請求項１６に記載のＵＥ。
【請求項１９】
前記情報は、前記ランダムアクセス手順に関する構成情報を少なくとも含む、請求項１８に記載のＵＥ。
【請求項２０】
前記ＵＥは、前記指示と前記情報の両方を含む無線リソース制御（ＲＲＣ）メッセージを受信するように構成されている、請求項１８に記載のＵＥ。
【発明の詳細な説明】
【技術分野】
【０００１】
本願は、２０１６年７月２８日に出願された、「ＭＥＴＨＯＤ  ＡＮＤ  ＡＰＰＡＲＡＴＵＳ  ＦＯＲ  ＨＡＮＤＬＩＮＧ  ＵＥ  ＢＥＡＭＦＯＲＭＩＮＧ  ＩＮ  Ａ  ＷＩＲＥＬＥＳＳ  ＣＯＭＭＵＮＩＣＡＴＩＯＮ  ＳＹＳＴＥＭ」と題する、米国仮出願第６２／３６８，００９号の優先権を主張し、その出願の全体は参照により本明細書に援用される。
【０００２】
本開示は、概して、無線通信ネットワークに指向したものであり、より詳細には、セル（例えば、５Ｇセル）内で動作するユーザ機器（ＵＥ）（例えば、携帯電話）によるビームフォーミングに関する。
【背景技術】
【０００３】
第３世代パートナーシッププロジェクト（３ＧＰＰ）は、次世代アクセス技術、すなわち５Ｇの技術コンポーネントを調査し、開発しようとしているグループである。３ＧＰＰは、２０１５年３月に５Ｇに対する標準化活動を開始した。３ＧＰＰは、５Ｇについての提案、リファレンスアーキテクチャモデル及び検討項目を説明するミーティングノートを定期的に発行している。例えば、３ＧＰＰは、複数のＴＲＰ（分散ユニット（ＤＵ）とも呼ばれる）を含み、ＴＲＰ間を移動するＵＥのセル内モビリティをサポートする単一セルアーキテクチャを想定している。このアーキテクチャは、数多くの課題を提示し、それに対して、本明細書で開示される発明は解決策を提示している。
【発明の概要】
【０００４】
以下の記載は、本明細書の簡略化された概要を提示して、本明細書のいくつかの態様の基本的な理解を提供するものである。この概要は、本明細書の広範囲にわたる概要ではない。本明細書の鍵となる、又は重要な要素を特定することも、本明細書のいずれかの実施形態に特有のいずれかの範囲又特許請求の範囲のいずれかの範囲に線引きすることも意図していない。この概要の唯一の目的は、後で提示される発明を実施するための形態への前置きとして、簡略化された形態で本明細書のいくつかの概念を提示することである。
【０００５】
本明細書で使用される場合、次の用語は、それぞれの略語によって参照され得る。すなわち、第３世代パートナーシッププロジェクト（３ＧＰＰ）、第５世代（５Ｇ）、ビーム固有の基準信号（ＢＲＳ）、基地局（ＢＳ）、クラウドＲＡＮ（Ｃ−ＲＡＮ）、セル無線ネットワーク一時識別子（Ｃ−ＲＮＴＩ）、接続（ＣＯＮＮ）状態、コントロールプレーン（ＣＰ）、チャネル品質インジケータ（ＣＱＩ）、チャネル状態情報（ＣＳＩ）、セントラルユニット（ＣＵ）、ダウンリンク（ＤＬ）、ダウンリンク共有チャネル（ＤＬ−ＳＣＨ）、分散ユニット（ＤＵ）、エボルブドＮｏｄｅ  Ｂ（ｅＮＢ又はｅＮｏｄｅＢ）、エボルブドユニバーサル地上無線アクセス（Ｅ−ＵＴＲＡ）、ハイブリッド自動再送要求（ＨＡＲＱ）、ロングタームエボリューション（ＬＴＥ）、媒体アクセス制御（ＭＡＣ）、多入力多出力（ＭＩＭＯ）、メッセージ（Ｍｓｇ）、非アクセス層（ＮＡＳ）、ネットワーク機能仮想化（ＮＦＶ）、新しいＲＡＴ（ＮＲ）、ネットワーク（ＮＷ）、物理ダウンリンク制御チャネル（ＰＤＣＣＨ）、物理ダウンリンク共有チャネル（ＰＤＳＣＨ）、物理（ＰＨＹ）、物理ランダムアクセスチャネル（ＰＲＡＣＨ）、物理アップリンク制御チャネル（ＰＵＣＣＨ）、物理アップリンク共有チャネル（ＰＵＳＣＨ）、ランダムアクセス（ＲＡ）、ランダムアクセス−無線ネットワーク一時識別子（ＲＡ−ＲＮＴＩ）、ランダムアクセスチャネル（ＲＡＣＨ）、ランダムアクセスネットワーク（ＲＡＮ）、無線アクセス技術（ＲＡＴ）、無線リンク制御（ＲＬＣ）、無線リソース制御（ＲＲＣ）、受信（Ｒｘ）、２次セル（ＳＣｅｌｌ）、信号対干渉雑音比（ＳＩＮＲ：Signal  to  Interference  Plus  Noise  Ratio）、セミパーシステントスケジューリング（ＳＰＳ）、スケジューリング要求（ＳＲ）、２次タイミングアドバンスグループ（ｓＴＡＧ）、透過モード（ＴＭ）、送信受信ポイント（ＴＲＰ）、ＴＲＰグループ（ＴＲＰＧ）、技術仕様書（ＴＳ）、送信時間間隔（ＴＴＩ）、送信（Ｔｘ）、ユーザ機器（ＵＥ）（ＵＥデバイスとも称される）、アップリンク（ＵＬ）、アップリンク共有チャネル（ＵＬ−ＳＣＨ）、ユニバーサル地上無線アクセス（ＵＴＲＡ）である。
【０００６】
様々な非限定的な実施形態では、例として、開示される主題は、ネットワークノードについての方法を提供する。ここで、ネットワークノードは、ＵＥビームフォーミングを有効又は無効にする指示をＵＥに送信する。指示は、ランダムアクセス手順を開始するのにも役立つ。
【０００７】
さらなる非限定的な例では、指示は他の情報と共に送信される。他の情報は、ランダムアクセスに関する構成情報を含むことができる。指示及び他の情報は、同じＲＲＣメッセージを介して提供されることができる。
【０００８】
さらなる非限定的な例では、ＵＥは、ＵＥビームフォーミングを有効又は無効にする指示を受信する。ＵＥは、指示の受信に応答して、ランダムアクセス手順を開始し、ビームフォーミングを有効にする。
【０００９】
本開示の実施形態は、ビームフォーミングを有効にするための手順及び方法論を提供する。いくつかの方法論は、ＵＥビームフォーミングが有効にされた後に使用されるべきＵＥビームを決定／選択することを提供する。開示される主題のこれら及び他の特徴は、以下でより詳細に説明する。
【図面の簡単な説明】
【００１０】
開示される主題であるデバイス、コンポーネント、システム及び方法は、添付の図面を参照してさらに説明する。
【００１１】
【図１】５Ｇにおけるビーム概念を示しており、各ＴＲＰは、例えば、ビーム掃引の一部として複数の狭ビームを生成している。
【００１２】
【図２】図２は、３ＧＰＰがＮＲを用いてサポートすることを望む、例えば、スタンドアロン、ＬＴＥとの共存及び集中型ベースバンドアーキテクチャを含む、例示的な無線ネットワークアーキテクチャを示す。
【００１３】
【図３】図３は、３ＧＰＰがＮＲを用いてサポートすることを望む、例えば、低性能トランスポート及び共有ＲＡＮで集中化されたものを含む、さらなる例示的な無線ネットワークアーキテクチャを示す。
【００１４】
【図４】図４は、単一のＴＲＰを有するセルのアレンジメントのための様々な例示的な配置シナリオを示す。
【００１５】
【図５】図５は、複数のＴＲＰを有するセルのアレンジメントのための様々な例示的な配置シナリオを示す。
【００１６】
【図６】図６は、例示的な５Ｇセルを示す図である。
【００１７】
【図７】図７は、例示的な４Ｇセルと例示的な５Ｇセルとの対照比較を示す。
【００１８】
【図８】図８は、ビーム生成のためのビーム組み合わせについての例示的な制限を示す。
【００１９】
【図９】図９は、ビームフォーミングによる利得補償を容易にする例示的な高周波ＨＦ−ＮＲシステムを示す。
【００２０】
【図１０】図１０は、ビームフォーミングによる弱められた干渉を容易にする例示的なＨＦ−ＮＲシステムを示す。
【００２１】
【図１１】図１１は、掃引サブフレームの原理を示す。
【００２２】
【図１２】図１２は、ＢＳビームとＰＲＡＣＨリソースとの関連を示す。
【００２３】
【図１３】図１３は、ビーム掃引の例を示す。
【００２４】
【図１４】図１４は、接続状態においてＵＥビームフォーミングを有効／無効にするための例示的な方法論を示す。
【００２５】
【図１５】図１５は、ＵＥビームフォーミングを有効にするための例示的な代替方法論を示す。
【００２６】
【図１６】図１６は、ＵＥビームフォーミングを無効にするための例示的な代替方法論を示す。
【００２７】
【図１７】図１７は、スケジューリング要求のＵＬ送信電力を調整するための例示的な方法論を示す。
【００２８】
【図１８】図１８は、確認又は完了メッセージの送信のための別の例示的な方法論を示す。
【００２９】
【図１９】図１９は、ビームフォーミングに関するアイコンの意味を示す。
【００３０】
【図２０】図２０は、競合ベースのランダムアクセス手順を実装するための例示的な方法論を示す。
【００３１】
【図２１】図２１は、非競合ベースのランダムアクセス手順を実装するための例示的な方法論を示す。
【００３２】
【図２２】図２２は、ネットワークノードのための例示的な方法論を示す。
【００３３】
【図２３】図２３は、ＵＥのための例示的な方法論を示す。
【図２４】図２４は、ＵＥのための例示的な方法論を示す。
【図２５】図２５は、ＵＥのための例示的な方法論を示す。
【図２６】図２６は、ＵＥのための例示的な方法論を示す。
【図２７】図２７は、ネットワークノードのための例示的な方法論を示す。
【図２８】図２８は、ＵＥのための例示的な方法論を示す。
【００３４】
【図２９】図２９は、同時ＵＬ送信及び同時ＤＬ送信に指向された様々な実施形態を実装することができる例示的な多元接続無線通信システムを示す。
【００３５】
【図３０】図３０は、本明細書で説明する様々なネットワーク、ＴＲＰ及びＵＥに指向された様々な態様の組み込みに適した、送信機システム（本明細書では、アクセスネットワークとも称する）及び受信機システム（本明細書では、アクセス端末（ＡＴ）又はユーザ機器（ＵＥ）とも称する）の例示的な実施形態を示す例示的なＭＩＭＯシステムの簡略化されたブロック図を示す。
【００３６】
【図３１】図３１は、開示される主題の様々な態様を実行するのに適した例示的な非限定的なデバイス又はシステムを示す。
【００３７】
【図３２】図３２は、本開示の様々な態様の組み込みに適した例示的な非限定的な通信デバイスの簡略化された機能ブロック図を示す。
【００３８】
【図３３】図３３は、本開示の様々な態様の組み込みに適した、図１４〜図３２に示した例示的なプログラムコードの簡略化されたブロック図を示す。
【００３９】
【図３４】図３４は、本明細書で説明する実施形態による、開示される主題の様々な非限定的な態様を容易にし得る例示的なモバイルデバイス（例えば、モバイルハンドセット、ユーザデバイス、ユーザ機器又はアクセス端末）の概略図を示す。
【発明を実施するための形態】
【００４０】
５Ｇ技術は、以下の３つの使用シナリオファミリをサポートする、具体的には、緊急の市場ニーズとＩＴＵ−Ｒ  ＩＭＴ−２０２０により定められたより長期的な要件の両方を満たすことを目的としている。つまり、ｉ）  ｅＭＢＢ（エンハンストモバイルブロードバンド：enhanced  Mobile  Broadband）ｉｉ）ｍＭＴＣ（大規模マシンタイプ通信：massive  Machine  Type  Communications）及び（ｉｉｉ）ＵＲＬＬＣ（超信頼性及び低遅延通信：Ultra-Reliable  and  Low  Latency  Communications）である。新しい無線アクセス技術に関する３ＧＰＰの５Ｇの検討事項の目的は、低周波数から少なくとも１００ＧＨｚまでにわたる任意のスペクトルバンドで動作することができる新しい無線システムのための技術コンポーネントを特定し、開発することある。しかし、高キャリア周波数（例えば、１００ＧＨｚまで）をサポートしようとする無線システムは、無線伝搬の分野において多くの課題に遭遇する。例えば、キャリア周波数が増加すると、経路損失も増加する。
【００４１】
Ｒ２−１６２３６６（３ＧＰＰ  ＴＳＧ−ＲＡＮ  ＷＧ２  Ｍｅｅｔｉｎｇ  ＃９３ｂｉｓ）によれば、より低い周波数バンド（例えば、現在のロングタームエボリューション（ＬＴＥ）バンド＜６ＧＨｚ）では、必要なセルカバレッジは、ダウンリンク共通チャネルを送信するためのセクタビームを形成することによって提供される。しかし、より高い周波数（＞＞６ＧＨｚ）でワイドセクタビームを利用することは、同一のアンテナ利得に対してセルカバレッジが低減されるという点で問題がある。したがって、より高い周波数帯域で必要なセルカバレッジを提供するためには、増大した経路損失を補償するために、より高いアンテナ利得が必要とされる。ワイドセクタビームにわたってアンテナ利得を増加させるために、アンテナ素子の数が数十から数百に及ぶより大きなアンテナアレイが、高利得ビームを形成するために使用される。結果として、高利得ビームは、代表的なワイドセクタビームより狭く形成され、したがって、必要なセル領域をカバーするため、ダウンリンク共通チャネルを送信するために複数の高利得ビームが必要とされる。アクセスポイントが形成することができる同時高利得ビームの数は、利用される送受信機アーキテクチャのコスト及び複雑さによって制限される。実際には、より高い周波数に対しては、同時高利得ビームの数は、セル領域をカバーするのに必要なビームの総数よりもはるかに少ない。言い換えれば、アクセスポイントは、任意の所与の時間にビームのサブセットを使用することによって、セル領域の一部のみをカバーすることができる。
【００４２】
Ｒ２−１６３７１６（３ＧＰＰ  ＴＳＧ−ＲＡＮ  ＷＧ２  Ｍｅｅｔｉｎｇ  ＃９４）によれば、ビームフォーミングは指向性信号の送受信のためにアンテナアレイで使用される信号処理技術である。ビームフォーミングでは、特定の角度の信号が強め合う干渉を経験する一方、他のものは弱め合う干渉を受けるように、アンテナのフェーズドアレイの要素を組み合わせることによってビームが形成される。複数のアンテナアレイを使用して異なるビームが同時に形成される。Ｒ２−１６２７０９（３ＧＰＰ  ＴＳＧ  ＲＡＮ  ＷＧ２  Ｍｅｅｔｉｎｇ＃９３ｂｉｓ）及び図１に示すように、５Ｇセル１００は、集中又は分散のいずれか一方にすることができる複数の送信／受信ポイント（ＴＲＰ）１２０、１２４、１２８に通信可能に結合されたエボルブドＮｏｄｅ  Ｂ（ｅＮＢ）１１０を含む。各ＴＲＰ１２０、１２４又は１２８は、複数のビームを形成することができ、そうするように示されている。ＴＲＰ１２０，１２４又は１２８によって形成されるビームの数及び時間／周波数領域における同時ビームの数は、アンテナアレイ素子の数及びＴＲＰ１２０，１２４又は１２８によって利用される無線周波数ＲＦに依存する。
【００４３】
新しい無線アクセス技術（ＮＲ）の場合の潜在的なモビリティタイプには、ＴＲＰ内モビリティ、ＴＲＰ間モビリティ及びＮＲ間ｅＮＢモビリティが含まれる。Ｒ２−１６２７６２（ＴＳＧ  ＲＡＮ  ＷＧ２  Ｍｅｅｔｉｎｇ  ＃９３ｂｉｓ）によれば、純粋にビームフォーミングに依存し、より高い周波数で動作するシステムの信頼性には課題がある。このようなシステムのカバレッジは、時間と空間の両方の変動に対してより敏感であるからである。結果として、そのリンク（ＬＴＥより狭い）の信号対干渉雑音比（ＳＩＮＲ）は、ＬＴＥの場合よりもはるかに迅速に低下する可能性がある。
【００４４】
５Ｇシステムでは、アクセスノードで数百の要素を有するアンテナアレイを使用することによって、ノード当たり、サービングビームのための数十又は数百の候補を有するかなり規則的なカバレッジパターンの格子が作成されることができる。しかし、そのようなアレイからの個別のサービングビームのカバレッジ領域は、幅で数十メートルのオーダにまで小さくなる。結果として、現在使用中のサービングビームの領域外のチャネル品質劣化は、ワイドエリアカバレッジの場合（例えば、ＬＴＥによって提供される場合）よりも急速に起こる。
【００４５】
３ＧＰＰ  ＴＳ  ３６．３００  ｖ  １３．４．０  Ｒｅｌｅａｓｅ  １３によれば、ランダムアクセス手順は、ＰＣｅｌｌに関する次のイベントに対して実行される。
−  ＲＲＣ＿ＩＤＬＥからの初期アクセス
−  ＲＲＣ接続再確立手順
−  ハンドオーバ
ランダムアクセス手順を必要とするＲＲＣ＿ＣＯＮＮＥＣＴＥＤ中のＤＬデータの到着：
−  例えば、ＵＬ同期状態が「非同期」であるとき
ランダムアクセス手順を必要とするＲＲＣ＿ＣＯＮＮＥＣＴＥＤ中のＵＬデータ到着：
−  例えば、ＵＬ同期状態が「非同期」であるか、あるいは利用可能なＳＲのためのＰＵＣＣＨリソースがないとき
−  ランダムアクセス手順を必要とするＲＲＣ＿ＣＯＮＮＥＣＴＥＤ中の測位目的のため：
−  例えば、ＵＥ測位のためにタイミングアドバンスが必要とされるとき
ランダムアクセス手順は、ＳＣｅｌｌ上でも実行されて、対応するｓＴＡＧのための時間アライメントを確立する。
さらに、ランダムアクセス手順には２つの異なる形式がある。
−  競合ベース（最初の５つのイベントに適用可能）
−  非競合ベース（ハンドオーバ、ＤＬデータの到着、測位及びｓＴＡＧのためのタイミングアドバンスアライメントの取得にのみ適用可能）
通常のＤＬ／ＵＬ送信は、ランダムアクセス手順の後に行うことができる。
【００４６】
ＬＴＥでは、競合ベース及び競合フリー（非競合ベース）の２つのタイプのＲＡ手順が定義されている。図２０は、競合ベースのランダムアクセス手順のための方法論２０００を示す。フロー図２０００（及び３ＧＰＰ  ＴＳ  ３６．３００  ｖ  １３．４．０  Ｒｅｌｅａｓｅ  １３による）に示すように、競合ベースのランダムアクセス手順には次の４つのステップがある。
１）  アップリンク（Ｍｓｇ１）におけるＲＡＣＨ上のランダムアクセスプリアンブル：
−  ２つの可能なグループが定義され、１つはオプションである。両方のグループが構成されている場合、メッセージ３のサイズ及び経路損失は、どのグループからプリアンブルが選択されるかを決定するために使用される。プリアンブルが属するグループは、メッセージ３のサイズ及びＵＥでの無線状態の指示を提供する。プリアンブルグループ情報は、必要な閾値と共に、システム情報上にブロードキャストされる。
２）ＤＬ−ＳＣＨ（Ｍｓｇ２）上のＭＡＣによって生成されるランダムアクセス応答：
−  メッセージ１との準同期（サイズが１つ以上のＴＴＩであるフレキシブルウィンドウ内）。
−  ＨＡＲＱなし。
−  ＰＤＣＣＨ上のＲＡ−ＲＮＴＩにアドレス指定される。
−  少なくともＲＡプリアンブル識別子、ｐＴＡＧのためのタイミングアラインメント情報、初期ＵＬグラント、一時Ｃ−ＲＮＴＩ（競合解決時に永続化されてもされなくてもよい）の割り当てを搬送する。
−  １つのＤＬ−ＳＣＨメッセージ内で可変数のＵＥを対象とする。
３）ＵＬ−ＳＣＨ（Ｍｓｇ３）上の第１のスケジュールされたＵＬ送信：
−  ＨＡＲＱを使用する。
−  トランスポートブロックのサイズは、ステップ２で搬送されたＵＬグラントに依存する。
−  初期アクセスの場合：
−  ＲＲＣレイヤによって生成され、ＣＣＣＨを介して送信されるＲＲＣ接続要求を搬送する。
−  ＮＡＳ  ＵＥ識別子は少なくとも搬送するが、ＮＡＳメッセージは搬送しない。
−  ＲＬＣ  ＴＭ：セグメンテーションなし。
−  ＲＲＣ接続再確立手順の場合：
−  ＲＲＣレイヤによって生成され、ＣＣＣＨを介して送信されるＲＲＣ接続再確立要求を伝える。
−  ＲＬＣ  ＴＭ：セグメンテーションなし。
−  いかなるＮＡＳメッセージを含まない。
−  ハンドオーバ後、ターゲットセル内において：
−  ＲＲＣレイヤによって生成され、ＤＣＣＨを介して送信される、暗号化された完全に保護されたＲＲＣハンドオーバ確認を搬送する。
−  ＵＥのＣ−ＲＮＴＩ（ハンドオーバーコマンドによって割り当てられた）を搬送する。
−  可能であれば、アップリンクバッファステータスレポートを含む。
−  他のイベントの場合：
−  ＵＥのＣ−ＲＮＴＩを少なくとも搬送する。
４）ＤＬ（Ｍｓｇ４）上の競合解決：
−  早期の競合解決が使用されなければならない。つまり、ｅＮＢは、競合を解決する前にＮＡＳ応答を待たない。
−  メッセージ３と同期されない。
−  ＨＡＲＱがサポートされる。
−  以下にアドレス指定される。
−  初期アクセスの場合及び無線リンク障害後のＰＤＣＣＨ上の一時Ｃ−ＲＮＴＩ。
−  ＲＲＣ＿ＣＯＮＮＥＣＴＥＤでのＵＥに対するＰＤＣＣＨ上のＣ−ＲＮＴＩ。
−  ＨＡＲＱフィードバックは、メッセージ３で提供されるように、自身のＵＥアイデンティティを検出するＵＥによってのみ送信され、競合解決メッセージ内でエコーされる。
−  初期アクセス及びＲＲＣ接続再確立手順の場合、セグメンテーションは使用されない（ＲＬＣ−ＴＭ）。
一時Ｃ−ＲＮＴＩは、ＲＡ成功を検出し、Ｃ−ＲＮＴＩをまだ有していないＵＥのＣ−ＲＮＴＩに対して促進される。それは他者によってドロップされる。ＲＡ成功を検出し、既にＣ−ＲＮＴＩを有するＵＥは、そのＣ−ＲＮＴＩを使用して再開する。
【００４７】
図２１は、非競合ベース（競合フリー）のランダムアクセス手順のための方法論２１００を示す。フロー図２１００（及び３ＧＰＰ  ＴＳ  ３６．３００  ｖ  １３．４．０  Ｒｅｌｅａｓｅ  １３による）に示すように、非競合ベースのランダムアクセス手順は次の３つのステップがある。
０）  ＤＬ（Ｍｓｇ０）における専用シグナリングを介したランダムアクセスプリアンブル割り当て：
−  ｅＮＢは、非競合のランダムアクセスプリアンブル（ブロードキャストシグナリングで送信されたセット内にないランダムアクセスプリアンブル）をＵＥに割り当てる。
−  次を介した信号：
−  ターゲットｅＮＢによって生成され、ハンドオーバのためにソースｅＮＢを介して送信されるＨＯコマンド。
−  ＤＬデータの到着又は測位の場合のＰＤＣＣＨ。
−  ｓＴＡＧのための初期ＵＬ時間アライメントのためのＰＤＣＣＨ。
１）アップリンク（Ｍｓｇ１）におけるＲＡＣＨ上のランダムアクセスプリアンブル：
−  ＵＥは、割り当てられた非競合のランダムアクセスプリアンブルを送信する。
２）ＤＬ−ＳＣＨ（Ｍｓｇ２）上のランダムアクセス応答：
−  メッセージ１との準同期（サイズが２つ以上のＴＴＩであるフレキシブルウィンドウ内）。
−  ＨＡＲＱなし。
−  ＰＤＣＣＨ上のＲＡ−ＲＮＴＩにアドレス指定される。
−  次を少なくとも搬送する：
−  ハンドオーバのためのタイミングアラインメント情報及び初期ＵＬグラント。
−  ＤＬデータ到着のためのタイミングアラインメント情報。
−  ＲＡプリアンブル識別子。
−  １つのＤＬ−ＳＣＨメッセージ内の１つ以上のＵＥに対して意図される。
【００４８】
Ｒ３−１６０９４７（３ＧＰＰ  ＴＲ３８．８０１  Ｖ０．１．０（２０１６−０４））によれば、図２及び図３に示すシナリオは、３ＧＰＰがＮＲをサポートすることを望む例示的な無線ネットワークアーキテクチャを示す。図２は、３つの例示的なネットワークアーキテクチャ２１０、２３０及び２５０を示す。ネットワークアーキテクチャ２１０において、コアネットワーク２１２は、２つのＮＲ基地局２１４及び２１６に通信可能に結合されて示されている。
【００４９】
ネットワークアーキテクチャ２３０において、コアネットワーク２３２は、サイトＡ  ２３４及びサイトＢ  ２３６に通信可能に結合され、これらのサイトは、ＮＲ及びＬＴＥ機能の両方をサポートする。ネットワークアーキテクチャ２５０では、アーキテクチャ２５０のセントラルユニットとして機能し、集中型無線アクセスネットワーク（ＲＡＮ）処理を実行するセントラルベースバンドユニット２５４にコアネットワーク２５２は通信可能に結合される。そして、ベースバンドユニット２５４は、高性能トランスポートリンクを介してＮＲ基地局２５６、２５８及び２６０の下位レイヤに通信可能に結合される。
【００５０】
図３は、３ＧＰＰがＮＲでサポートすることを望むさらに２つの例示的な無線ネットワークアーキテクチャ３１０及び３４０を示す。アーキテクチャ３１０では、ＮＲ基地局の上位レイヤを含むセントラルユニット３１４に、コアネットワーク３１２は通信可能に結合される。そして、セントラルユニット３１４は、低性能トランスポートリンクを介してＮＲ基地局３１６、３１８及び３２０の下位レイヤに通信可能に結合される。アーキテクチャ３４０では、各コアネットワークオペレータ３４２，３４４及び３４６は、ＮＲ基地局３４８及び３５０の両方に通信可能に結合される。
【００５１】
Ｒ２−１６４３０６（３ＧＰＰ  ＴＳＧ−ＲＡＮ  ＷＧ２  ＃９４）によれば、３ＧＰＰは、マクロセル、異種セル及びスモールセルにおけるスタンドアロンＮＲに対してセルレイアウトの配置を研究することを望んでいる。２０１６年５月２３〜２６日の会議についての３ＧＰＰ  ＴＳＧ−ＲＡＮ  ＷＧ２  ＃９４会議議事録によれば、１つのＮＲ  ｅＮＢは１つ以上のＴＲＰに対応する。代表的には、ネットワーク制御モビリティは２つのレベルを包含する。１つのレベルでは、モビリティ制御は、セルレベルでＲＲＣによって駆動される。他のレベルでは、ＲＲＣによって（例えば、ＭＡＣ／ＰＨＹレイヤにおいて）ゼロ又は最小関与が存在する。Ｒ２−１６２２１０（３ＧＰＰ  ＴＳＧ−ＲＡＮ  ＷＧ２  Ｍｅｅｔｉｎｇ  ＃９３ｂｉｓ）によれば、３ＧＰＰは、ＮＲにおいて２レベルのモビリティ処理の原則を維持することを望んでいる。１つのレベルはセルレベルのモビリティを含み、他のレベルはビームレベルのモビリティ管理を含む。セルレベルのモビリティに関して、ＵＥ（又はモバイルデバイス）がアイドル状態にあるときに、セル選択又は再選択が生じ、ＵＥ又はモバイルデバイスが接続（ＣＯＮＮ）状態にあるときに、ハンドオーバが生じる。モビリティ制御は、ＣＯＮＮ状態にあるＲＲＣによって駆動される。ビームレベル管理に関して、レイヤ１（Ｌ１又は物理レイヤ）は、ＵＥ（又はモバイルデバイス）によって使用されるＴＲＰの適切な選択を処理し、最適なビーム方向も処理する。
【００５２】
５Ｇシステムは、従来のハンドオーバベースのＵＥモビリティに頼ることに加えて、ＵＥモビリティを処理するために「ビームベースのモビリティ」に大いに頼ることが期待されている。ＭＩＭＯ、フロントホール（fronthaul）、Ｃ−ＲＡＮ、ＮＦＶ等の技術により、単一の５Ｇノードによって制御されるカバレッジエリアを拡大することができ、ビームレベル管理のための可能性のあるアプリケーションを増やし、セルレベルのモビリティの必要性を減らす。１つの５Ｇノードのカバレッジエリア内のすべてのモビリティは、ビームレベル管理に基づいて処理されることができる。そのシナリオにおいては、ハンドオーバは、１つの５Ｇノードのカバレッジエリアから別の５ＧノードのカバレッジエリアへのＵＥモビリティの場合にのみ生じる。
【００５３】
図４、図５、図６及び図７は、５Ｇ  ＮＲにおけるセル設計のいくつかの例を示す。図４は、単一ＴＲＰのセルを用いた配置の例を示しています。配置４００は、単一のＴＲＰを有するセルを多数含み、例えば、セル４１０はＴＲＰ４１２を含み、セル４２０はＴＲＰ４２２を含む。いくつかのセルはまとめてクラスタ化され、他のセルは分離されている。図５は、複数のＴＲＰのセルを用いた配置の例を示す。配置５００は、複数のＴＲＰ５１２、５１４及び５１６を有するセル５１０を含む。配置５００は、ＴＲＰ５２２及び５２４を有するセル５２０も含む。図６は、５Ｇノード６３０及び複数のＴＲＰを含む１つの５Ｇセル６１０を有する例示的な配置６００を示す。図７は、ＬＴＥセル７１０と５Ｇ  ＮＲセル７５０との間の比較を示す。ＬＴＥセル７１０は、複数のセル７１４及び７１６に通信可能に結合されたｅＮＢ７１２を含む。セル７１４は、ＴＲＰ７２０を含むように示し、セル７１６は、ＴＲＰ７２２を含むように示している。セル７５０は、単一セル７５６に通信可能に結合されたセントラルユニット７５２を含む。単一セル７５６は、複数の分散ユニット（ＤＵ）７６２及び７６４を含む。３ＧＰＰは、無線品質管理（ＲＲＭ）測定に基づくハンドオーバを実行することは別として、ビーム品質の変動及び／又はＵＥのセル内モビリティの場合であっても５Ｇ接続を維持するために５Ｇ  ＵＥがサービングビームを適合させることが可能であるべきであると望んでいると理解する。しかし、これを行うために、５Ｇ  Ｎｏｄｅ−Ｂ及びＵＥは、サービングビームを適切に追跡して変更することができなければならない（以下、ビーム追跡と称する）。
【００５４】
いくつかの専門用語と仮定を以下に規定し、これらが以後使用されることができる。主題の開示において使用される用語「基地局（ＢＳ）」は、１つ以上のセルに関連する１つ以上のＴＲＰを制御するために使用される、ＮＲにおけるネットワーク集中ユニットを指す。ＢＳとＴＲＰとの間の通信は、フロントホール（fronthaul）接続を介して起こることができる。ＢＳは、セントラルユニット（ＣＵ）、ｅＮＢ又はＮｏｄｅＢと称されることもできる。本明細書において使用されるＴＲＰは、ネットワークカバレッジを提供し、ＵＥと直接通信する送受信ポイントである。ＴＲＰは分散ユニット（ＤＵ）と称されることもできる。本明細書において使用されるセルは、１つ以上の関連するＴＲＰから構成され、すなわち、セルのカバレッジは、セルに関連するすべての個々のＴＲＰのカバレッジのスーパーセットである。１つのセルは１つのＢＳによって制御される。セルは、ＴＲＰグループ（ＴＲＰＧ）と称されることもできる。ビーム掃引が、送信及び／又は受信のためのすべての可能な方向をカバーするために使用される。ビーム掃引の場合、多数のビームが必要とされる。これらすべのビームを同時に生成することは不可能であるため、ビーム掃引とは、１つの時間間隔におけるこれらのビームのサブセットの生成と、他の時間間隔におけるビームの異なるサブセットの生成を意味する。言い換えれば、ビーム掃引とは、すべての可能な方向がいくつかの時間間隔の後にカバーされるように、時間領域においてビームを変化させることを意味する。ビーム掃引数は、送信及び／又は受信のために一度すべての可能な方向にビームを掃引するのに必要な時間間隔の必要な数を指す。ビーム掃引数は、所望の領域をカバーするために様々な異なるビームのサブセットを生成しなければならない所定の時間期間中の回数を示す。ＵＥのためのサービングビームは、例えば、送信及び／又は受信のためにＵＥと通信するのに使用される、例えば、ＴＲＰであるネットワークによって生成されるビームである。
【００５５】
ネットワーク側では、ビームフォーミングを使用するＮＲはスタンドアロンとすることができ、これは、ＵＥが直接ＮＲ上にキャンプオン又はＮＲに接続できることを意味する。ビームフォーミングを使用するＮＲと、ビームフォーミングを使用しないＮＲとは、例えば、異なるセル内に共存することができる。ＴＲＰは、可能でありかつ有益である場合には、データ及び制御シグナリング送信及び受信の両方にビームフォーミングを適用することができる。ＴＲＰによって同時に生成されるビームの数は、ＴＲＰの能力に依存する。例えば、異なるＴＲＰによって同時に生成されるビームの最大数は異なることがある。ビーム掃引は、例えば、制御シグナリングをすべての方向に提供するために必要である。（ハイブリッドビームフォーミングの場合、）ＴＲＰは、すべてのビーム組み合わせをサポートするわけではない可能性がある。例えば、いくつかのビームを同時に生成することができない。図８は、同時に生成されるビームの可能な組み合わせを例として、ビーム組み合わせの制限を示す。４つのアナログビーム８０４と８つのハイブリッドビーム８０２の可能な組み合わせを示している。６つの可能な組み合わせ８０６、８０８、８１０、８１２、８１４及び８１６を示している。アナログビーム８０４の場合、２つのビームが同時に生成される。ハイブリッドビーム８０２の場合、４つのビームが同時に生成される。様々な実施形態においては、同一セル内のＴＲＰのダウンリンクタイミングが同期される。ネットワーク側のＲＲＣレイヤはＢＳ内に位置する。ＴＲＰは、ＵＥビームフォーミングを用いるＵＥとＵＥビームフォーミングを用いないＵＥの両方をサポートすべきであり、ＴＲＰが異なる能力のＵＥをサポートし、異なるＵＥリリースに基づいたＵＥ設計をサポートすべきであることを意味する。
【００５６】
ＵＥ側では、可能でありかつ有益である場合、ＵＥは、受信及び／又は送信のためにビームフォーミングを実行することができる。ＵＥによって同時に生成されるビームの数は、ＵＥの能力、例えば、ＵＥについて複数のビームを生成することが可能であるかどうかに依存する。ＵＥによって生成されるビームは、代表的には、ｅＮＢによって生成されるビームよりも広い。送信及び／又は受信のためのビーム掃引は、一般に、ユーザデータにとっては必要ではないが、他のシグナリング、例えば、測定を実行するために必要となる可能性がある。（ハイブリッドビームフォーミングの場合、）図８を参照して上記に説明したように、ＵＥは、すべての可能なビーム組み合わせをサポートするわけではない可能性がある。同時に生成されるビームの可能な組み合わせの例を図８に示している。すべてのＵＥが、例えば、ＵＥ能力により、あるいはＵＥビームフォーミングがＮＲの最初の２、３のリリースによってはサポートされなかったことにより、ＵＥビームフォーミングをサポートするわけではないと理解するべきである。１つのＵＥは、複数のＵＥビームを同時に生成することができる。１つのＵＥは、同じセルの１つ以上のＴＲＰからの複数のビームによってサービスされることができる。同じ又は異なるＤＬ（又はＵＬ）データは、ダイバーシティ又はスループット利得のために異なるビームを介して同一の無線リソース上で送信されることができる。接続状態（又はアクティブ状態と呼ばれる）及び非接続状態（又は非アクティブ状態若しくはアイドル状態と呼ばれる）の少なくとも２つのＵＥ（ＲＲＣ）状態が存在する。
【００５７】
Ｒ２−１６２２５１（３ＧＰＰ  ＴＳＧ−ＲＡＮ  ＷＧ２  Ｍｅｅｔｉｎｇ＃９２ｂｉｓ）によれば、ビームフォーミングは、ｅＮＢ及びＵＥ側の両方で実行されることができる。図９は、高周波（ＨＦ）ＮＲシステムにおけるビームフォーミングによる利得補償の概念を示す。例示的なセル９００においては、ｅＮＢ９１０及びＵＥ９２０の両方によって実行される。一実用例においては、３ＧＧＰは、ｅＮＢ９１０でのビームフォーミングアンテナ利得が約１５〜３０ｄＢｉとなり、ＵＥ９２０でのビームフォーミングアンテナ利得が約３〜２０ｄＢｉとなると予期している。
【００５８】
ＳＩＮＲの観点から、図１０は、ビームフォーミングにより干渉が弱められるセル１０００を示す。シャープビームフォーミングは、例えば、ダウンリンク動作中に、隣接する干渉源ｅＮＢ  Ａ  １０３０及びｅＮＢ  Ｂ  １０４０からのサービングｅＮＢ  １０１０での干渉電力を低減する。隣接するｅＮＢ１０３０，１０４０に接続されたＵＥからの干渉電力も、ビームフォーミングにより低減される。ＴＸビームフォーミングの場合、有効な干渉は、現在のビームもＲＸの方向に向けられている他のＴＸのみによって引き起こされると、理解し、認識するべきである。有効干渉とは、干渉電力が有効ノイズ電力よりも高いことを意味する。ＲＸビームフォーミングの場合、有効な干渉は、ビームがＵＥ１０５０の現在のＲＸビーム方向と同じ方向に向けられている他のＴＸによってのみ引き起こされる。
【００５９】
Ｒ１−１６５３６４（３ＧＰＰ  ＴＳＧ−ＲＡＮ  ＷＧ１＃８５）によれば、３ＧＰＰは、掃引共通コントロールプレーン機能を、掃引サブフレームと呼ばれる特定のサブフレームに集中（又は挿入）することを提案している。３ＧＰＰが掃引サブフレームを介して送信することを望む共通制御シグナリングは、同期信号（ＤＬ）、基準信号（ＤＬ）、システム情報（ＤＬ）及びランダムアクセスチャネル情報（ＵＬ）を含む。図１１は、掃引サブフレームの原理を示し、異なる時間に送信されるＤＬ掃引ブロック１１０２及びＵＬ掃引ブロック１１０４を示す。ダウンリンク掃引の主な使用事例の１つは、例えば、セルサーチ、時間及び周波数同期取得、必須システム情報シグナリング及びセル／ビーム測定（例えば、ＲＲＭ測定）のための信号を含むダウンリンクディスカバリシグナリング（downlink  discovery  signaling）である。ＵＬ  ＰＲＡＣＨ（物理ランダムアクセスチャネル）の場合、３ＧＰＰは、ＢＳビーム相互性を利用し、ＢＳが送信ＵＥに向かって指し示される高いアレイ利得を有するビームによって受信しているときに、ＵＥがＰＲＡＣＨプリアンブルを送信することを可能にすることを望んでいる。これは、ＰＲＡＣＨリソースは、ＤＬディスカバリシグナリングを介して周期的に知らされるＢＳビームに関連することを意味する。ＤＬディスカバリシグナリングは、ビーム固有の基準信号を搬送する。図１２は、ＢＳビーム１２０２とＰＲＡＣＨリソース１２０４との間の関連を示す。
【００６０】
高利得ビームは狭く、形成することができる同時高利得ビームの数は利用される送受信機アーキテクチャのコスト及び複雑さに依存するので、送信及び／又は受信のためのすべての可能な方向をカバーするためにある回数（例えば、ビーム掃引数）でのビーム掃引が必要とされる。例えば、タイミング図１３０２及びビーム掃引図１３０４を介して図１３に示すように、ＴＲＰはすべての方向をカバーするために３つの時間間隔をとり、このＴＲＰによって各時間間隔で４つのビームが生成される。ビーム掃引によってセルカバレッジ全体をカバーする必要のある送信及び／又は受信のためのシグナリングは、同期信号、基準信号、システム情報、ページング、ランダムアクセス手順を開始するための信号、ランダムアクセス手順の信号（例えば、ランダムアクセスプリアンブル、ランダムアクセス応答、競合解決）、ＤＬ／ＵＬスケジューリングのための信号及び／又は他の信号を含み得る。ダウンリンクシグナリングの場合、ビーム掃引は、送信のためのＴＲＰ及び／又は受信のためのＵＥによって実行される。アップリンクシグナリングの場合、ビーム掃引は、送信のためのＵＥ及び／又は受信のためのＴＲＰによって実行される。
【００６１】
図１４は、接続状態においてＵＥビームフォーミングを有効／無効にするためのフローチャート１４００の例を示す。ＵＥが接続状態にあり、ＵＥがＵＥビームフォーミングをサポートするときは、ネットワークは、ＵＥビームフォーミングを有効にする必要があるかどうかを、例えば、無線状態、トラフィック量等に基づいて制御することができる。接続状態におけるＵＥビームフォーミングの有効化／無効化の例は、フローチャート１４００に示すように、次のステップを含む。
−  ＵＥビームフォーミングの有効化：
ネットワーク、例えば、ＢＳ及び／又はＴＲＰは、例えば、ＲＲＣメッセージを介して指示を送信して、次の／後に続く送受信のためにＵＥビームフォーミングを有効にするようにＵＥに要求する（ステップ１４０２）。
ＵＥは指示を受信すると、ＵＥは、どのＵＥビームが使用されるべきかを決定し、次の／後に続く送信及び受信のためにＵＥビームフォーミングを使用する（ステップ１４０４）。ＵＥは、ＵＥビームフォーミングを使用することにより確認を送信することによって応答することができる（ステップ１４０６）。
ＵＥは、ＵＥビームフォーミングを有効にした後、複数のＴＲＰと同時に通信することが可能となり得る。
−  ＵＥビームフォーミングの無効化：
ネットワーク、例えば、ＢＳ及び／又はＴＲＰは、指示を送信して、次の／後に続く送信及び受信のためにＵＥビームフォーミングを無効にするようにＵＥに要求する（ステップ１４２２）。
ＵＥは指示を受信すると、ＵＥは、ＵＥビームフォーミングの使用を停止する（ステップ１４２４）。ＵＥは、全方向にあるいはＵＥビームフォーミングを使用して確認を送信することによって応答することができる。すなわち、ＵＥは、確認を送信する前又は後にＵＥビームフォーミングの使用を停止することができる（ステップ１４２６）。
【００６２】
ネットワーク、例えば、ＢＳ又はＴＲＰは、接続状態にあるＵＥが送信及び／又は受信のためにＵＥビームフォーミングを使用すべきかどうかを制御することが可能であるべきである。ネットワークが、接続状態においてＵＥビームフォーミングを有効にしたいときに、ＵＥがＵＥビームフォーミングを有効にするために必要とされる構成を以下で検討／論じる。ＵＥビームフォーミングが有効となった後にＵＥビームを決定／選択する手段と同様に、ＵＥビームフォーミングを有効にするＵＥ応答も以下で検討する。ネットワークは、例えば、セル又は支援セルを介して、ＵＥに指示を提供して、セル内でのＵＥビームフォーミングを有効にすることができる。支援セルは、プライマリセル、アンカーセル、及び／又はＵＥのＣＰ接続を扱うために使用されるセルであってもよい。次の情報及び／又は構成（若しくは構成情報）のうちの１つ以上を、指示と共にＵＥに提供することができる。
−  周期的又は非周期的であり得るＵＥビーム固有のＵＬ基準信号の構成。
−  周期的又は非周期的であり得るネットワークビーム固有のＤＬ基準信号の構成。
−  同時に生成されるＵＥビームの数に関する情報。例えば、（その数が同時に生成され得るＵＥビームの最大数よりも少ない場合、）ＵＥは、例えば、周期的にビーム掃引を実行するために必要なＵＥビームの数に加えて、例えば、測定のために追加のＵＥビームを生成することができる。
−  可能なすべての方向をカバーするために生成されるＵＥビームの数に関する情報であって、例えば、ＵＥビームを生成するために使用されるアンテナ素子について。
−  周期的にビーム掃引を実行するために、特定のＵＥビームを生成すべきかどうかに関する情報であって、例えば、（測定のために）周期的にＵＥビーム掃引を実行するために、通常のＵＥビームが生成され、サービングビームに指向され、かつ、特定のＵＥビームが（専用に）生成されるかについて。
−  ＵＥビームが生成されるべき方向をＵＥが導出するための情報。情報は、ネットワークビーム及び／又はＵＥがＵＥビームを生成して通信するべきＴＲＰに関し得る。情報は、ＵＥビーム固有のものであってもよい。
−  ランダムアクセスに関する構成。例えば、専用ランダムアクセスプリアンブル、プリアンブルを送信するための時間／周波数リソース等。
−  ＵＥビームフォーミング（又はＵＥビーム）によって使用される送信電力をＵＥが導出するための構成であって、例えば、送信電力を増減させるオフセット値。
−  例えば、下位レイヤの信号を介して、サービング又は候補のネットワークビーム又はＴＲＰが変更されたときにＵＥによって適用される、異なるネットワークビーム又はＴＲＰに対応する構成セット
−  アップリンク送信タイミングを調整するための構成。
【００６３】
この指示の受信に応答して、次のアクションの１つ以上をＵＥによって実行することができる。
−  適切なＵＥビームがまだ決定されていないので、ＵＬデータ及び／又はシグナリング（再）送信は中断又は終了されるべきである。
ＵＥは、関連する構成済みＵＬリソース、例えば、ＳＰＳアップリンクグラントの使用を停止することができる。中断の場合、関連するＵＬ  ＨＡＲＱバッファをフラッシュする必要はない。終了の場合、関連するＵＬ  ＨＡＲＱバッファをフラッシュし、関連する構成済みＵＬリソースを破棄し、かつ／あるいは関連するＨＡＲＱエンティティ及び／又はＭＡＣエンティティをリセットすることができる。
ＵＬシグナリングは、スケジューリング要求を含む。ＵＬシグナリングは、ＵＬ基準信号、ランダムアクセスのための信号及び／又はビーム掃引によって送信される信号を含まない。
−  適切なＵＥビームがまだ決定されていないので、ＤＬデータ受信は中断又は終了されるべきである。
ＵＥは、関連する構成済みＤＬリソース、例えば、ＳＰＳダウンリンク割り当ての監視を停止することができる。中断の場合、関連するＤＬソフトバッファをフラッシュする必要はない。終了の場合、関連するＤＬソフトバッファをフラッシュし、関連する構成済みのＤＬリソースを破棄し、かつ／あるいは関連するＨＡＲＱエンティティ及び／又はＭＡＣエンティティをリセットすることができる。
例えば、ビーム掃引を使用してネットワークによって送信されるＤＬシグナリングの監視又は受信は、ビーム掃引を使用してネットワークによって送信されるデータは、中断又は終了されないことがある。
−  ＵＥは、進行中の任意のランダムアクセス手順を停止すべきである。
−  ＵＥはＵＬ送信電力を、その指示と共に受信された構成に基づいてあるいはＵＥ自身による推定に基づいて、例えば、デフォルト値に調整すべきである。
−  ＵＥはＵＬ送信タイミングを、例えば、その指示と共に受信された構成に基づいてあるいはアップリンク送信タイミングが同期していないことを考慮することによって、調整してもよいし、調整しなくてもよい。
−  ＵＥは、例えば、ＵＥビーム掃引によって送信される（非周期的な）ＵＬ基準信号のための送信をトリガすることができる。
【００６４】
ＵＥビームフォーミングの有効化に応答して、次の送信及び／又は受信のためのＵＥビームは、次の方法の１つ以上によって決定され得る（それらの方法は、共同であるいは別々に使用され得る）。
【００６５】
図１５の方法論１５００に示す一方法では、ＵＥは測定を実行して、使用される少なくとも１つの初期ＵＥビームを決定する。図１５のＡｌｔ１  １５０２は、ＵＥビームフォーミングを有効にするこの方法の例を示す。
−  ＵＥは信号、例えば、ネットワークビーム固有のＤＬ基準信号を測定して、ＵＥビーム、例えば、閾値より大きい受信電力を有するＵＥビーム、又は最も大きい受信電力を有するＵＥビームを決定する。ネットワークは、ビーム掃引によって信号を送信することができ、ＵＥは、複数の時間間隔で信号を監視して、どのＵＥビームが使用されるべきかを決定することができる。信号の構成は、その指示と共に提供され得る。ＵＥは、すべての可能なＵＥビームを使用して測定を実行する、あるいはＵＥビームが決定されたら、測定を停止することができる。
−  ＵＥビームは、ＵＥビームが生成されるべき方向をＵＥが導出するための情報に基づいて選択され得る。例えば、情報によって示されるネットワークビームから信号を受信する資格があるＵＥビームを選択する。代替的には、その指示を送信するために使用されるネットワークビームから信号を受信する資格のあるＵＥビームを選択する。
−  決定される初期ＵＥビームの数は、１つ又はその指示とともに指示された数である。
−  決定されたＵＥビーム又はＵＥビームとネットワークビームとの間のマッピングが、ネットワークに、例えば、ＵＥビームフォーミングを有効にするための確認又は完了メッセージにおいて指示され得る。
【００６６】
図１５の方法論１５００にも示す別の方法では、ネットワークは測定を実行し、使用される少なくとも１つの初期ＵＥビームについてＵＥに通知する。図１５のＡｌｔ２  １５０４は、ＵＥビームフォーミングを有効にするこの方法の例を示す。
−  ネットワークは信号、例えば、ＵＥビーム固有のＵＬ基準信号又はスケジューリング要求を測定して、使用されるＵＥビームを決定する。ＵＥは、ＵＥビーム掃引によって信号を送信する。そして、ネットワークは、ＵＥにシグナリングを提供して、ＵＥに初期ＵＥビーム（の候補）を認識させる。
−  シグナリングは、ＵＥがＵＬ送信電力を調整するための情報、例えば、送信電力を増減させるオフセット値を提供することができる。
−  シグナリングは、例えば、ビーム掃引によって繰り返し送信されることができ、ＵＥによる正常な受信を保証する。ＵＬグラントはシグナリングと共に提供されることができ、例えば、ＵＥにＵＥビームフォーミングを有効にするための確認又は完了メッセージを送信させる。
−  シグナリングは、ＵＥがＵＬ送信タイミング、例えば、タイミングアドバンス（timing  advance）を調整するための情報を提供することができる。
【００６７】
図１５の方法論１５００にも示す別の方法では、ＵＥはランダムアクセス手順を開始する。図１５のＡｌｔ３  １５０６は、ＵＥビームフォーミングを有効にするこの方法の例を示す。
−  ランダムアクセス手順中に、初期ＵＥビームを決定することができる。例えば、ランダムアクセス手順の信号を送信又は受信するために使用されるＵＥビームである、あるいはランダムアクセス手順中に、例えば、Ｍｓｇ２を介して割り当てられたＵＥビームである。
−  ＵＬ送信電力及び／又はＵＬ送信タイミングも、ランダムアクセス手順中に決定することができる。
−  その指示は、ハンドオーバ手順、例えば、セル内ハンドオーバ、セル間ハンドオーバ、ＲＡＴ間ハンドオーバを開始するために使用されるメッセージ又はサービングセルを追加又は変更するために使用されるメッセージによって搬送され得る。例えば、ＵＥビームフォーミングの有効化は、ハンドオーバ又はサービングセルの追加にのみ伴うことができる。
−  ＵＥは、ランダムアクセス手順を開始して、ＴＲＰにアクセスする。ＴＲＰは、その指示を送信するもの、指示と共に指示されたもの、ＵＥ測定に基づいて選択されるもの、又はＵＥによって受信されたＭｓｇ２の送信機であり得る。
【００６８】
ＵＥビームが決定される、ＵＥに初期ＵＥビーム（の候補）を認識させるシグナリングが受信される、ランダムアクセス手順が正常に完了する、ＵＥビームフォーミングを有効にするための確認又は完了メッセージがＵＥによって（正常に）送信される、あるいはＵＬグラントが受信されるときは、送信の中断又は終了が再開され得る。測定結果（例えば、ビーム固有の測定結果、ＴＲＰ固有の測定結果等）又は非周期的な測定レポートは、ＵＥビームフォーミングを有効にするための確認又は完了メッセージによって搬送される、あるいはそれと共に送信され得る。関連するパワーヘッドルームレポートは、例えば、ＵＥビームフォーミングの有効化、初期ＵＥビームの決定、及び／又はＵＥに初期ＵＥビーム（の候補）を認識させるシグナリングの受信に応答して、トリガ及び／又はレポートされる必要があり得る。
【００６９】
接続状態におけるＵＥビームフォーミングを無効にすることに関して、ネットワーク、例えば、ＢＳ又はＴＲＰは、接続状態のＵＥが送信及び／又は受信のためにＵＥビームフォーミングの使用を停止すべきかどうかを制御することが可能であるべきである。ネットワークがＵＥビームフォーミングを無効にしたいときに、ＵＥがＵＥビームフォーミングを無効にするために必要とされる構成を以下で検討／論じる。ＵＥビームフォーミングを無効にするＵＥ応答も以下で考慮する。ネットワークは、例えば、セル又は支援セルを介して、セル内のＵＥビームフォーミングを無効にする指示をＵＥに提供することができる。支援セルは、プライマリセル、アンカーセル及び／又はＵＥのＣＰ接続を処理するために使用されるセルとすることができる。次の情報及び／又は構成（又は構成情報）のうちの１つ以上は、その指示と共にＵＥに提供され得る。
−  周期的又は非周期的であり得る非ＵＥビーム固有のＵＬ基準信号、例えば、セル固有のＵＬ基準信号、ＵＥ固有のＵＬ基準信号の構成。
−  周期的又は非周期的であり得るネットワークビーム固有のＤＬ基準信号の構成。
−  ランダムアクセスに関する構成。例えば、専用ランダムアクセスプリアンブル、プリアンブルを送信するための時間／周波数リソース等。
−  ＵＥビームフォーミング（又はＵＥビーム）を使用せずに、ＵＥによって使用される送信電力をＵＥが導出するための構成。例えば、送信電力を増減させるオフセット値。
−  例えば、下位レイヤ信号を介して、サービング又は候補のネットワークビーム又はＴＲＰが変更されたときにＵＥによって適用される、異なるネットワークビーム又はＴＲＰに対応する構成セット。
−  アップリンク送信タイミングを調整するための構成。例えば、タイミングアドバンス。
−  スケジューリング要求に関する構成。例えば、周期性、無線リソース。
【００７０】
その指示の受信に応答して、次のアクションの１つ以上をＵＥによって実行することができる。
−  例えば、誤った送信電力によって引き起こされる可能性がある干渉により、ＵＬデータ及び／又はシグナリング（再）送信は中断又は終了されるべきである。
−  ＵＥは、関連する構成済みＵＬリソース、例えば、ＳＰＳアップリンクグラントの使用を停止することができる。中断の場合、関連するＵＬ  ＨＡＲＱバッファをフラッシュする必要はない。終了の場合、関連するＵＬ  ＨＡＲＱバッファをフラッシュし、関連する構成済みＵＬリソースを破棄し、及び／又は関連するＨＡＲＱエンティティ及び／又はＭＡＣエンティティをリセットすることができる。
ＵＬシグナリングは、スケジューリング要求及び／又はビーム掃引によって送信される信号を含む。ＵＬシグナリングは、ＵＬ基準信号及び／又はランダムアクセスのための信号を含まない。
例えば、ＵＥは、ＵＥビームフォーミングを無効にすることにより、ＵＬデータ及び／又はシグナリング（再）送信を終了することがあるが、中断しないことがある。
−  例えば、ネットワークのリソーススケジューリングにより、ＤＬデータの受信を一時停止又は終了するべきである。
ＵＥは、関連する構成済みＤＬリソース、例えば、ＳＰＳダウンリンク割り当ての監視を停止することができる。中断の場合、関連するＤＬソフトバッファをフラッシュする必要はない。終了の場合、関連するＤＬソフトバッファをフラッシュし、関連する構成済みのＤＬリソースを破棄しかつ／あるいは関連するＨＡＲＱエンティティ及び／又はＭＡＣエンティティをリセットすることができる。
例えば、ビーム掃引を使用してネットワークによって送信されるＤＬシグナリングの監視又は受信は、中断又は終了されないことがある。
例えば、ＵＥは、ＵＥビームフォーミングを無効にすることにより、ＵＬ（再）送信を終了又は中断することがあるが、ＤＬ（再送信）をそのようにしないことがある。
−  ＵＥは、進行中の任意のランダムアクセス手順を停止すべきである。
−  ＵＥはＵＬ送信電力を、その指示と共に受信された構成に基づいてあるいはＵＥ自身による推定に基づいて、例えば、デフォルト値に調整すべきである。
−  ＵＥはＵＬ送信タイミングを、例えば、その指示と共に受信された構成に基づいてあるいはアップリンク送信タイミングが同期していないことを考慮する／決定することによって、調整してもよいし、調整しなくてもよい。
−  ＵＥは（非周期的な）ＵＬ基準信号のための送信をトリガすることができる。
【００７１】
ＵＥビームフォーミングの無効化に応答して、候補のネットワークビーム及び／又はサービングＴＲＰは、例えば、ＵＬ送信電力変化、ＵＥビームフォーミング利得変化によりＵＥビームフォーミングを無効にする前後で異なることがある。次の送信及び／又は受信のためにＵＬ送信電力、サービングＴＲＰ及び／又は候補ネットワークビームを調整する方法を以下で検討／論じる（それらの方法は、共同で又は別々に使用され得る）。
【００７２】
図１６の方法論１６００に示す一方法では、ＵＥは測定を実行し、候補ネットワークビーム及び／又はサービングＴＲＰを決定する。図１６のＡｌｔ２  １６０４は、ＵＥビームフォーミングを無効にするこの方法の例を示す。
−  ＵＥは信号、例えば、ネットワークビーム固有のＤＬ基準信号を測定して、候補ネットワークビーム及び／又はサービングＴＲＰ、例えば、閾値より大きい受信電力を有するあるいは最も大きい受信電力を有するネットワークビーム及び／又はＴＲＰを決定する。
ネットワークは、ビーム掃引によって信号を送信することができ、ＵＥは、複数の時間間隔で信号を監視することができる。信号の構成は、指示と共に提供され得る。
−  決定された候補ネットワークビーム及び／又はサービングＴＲＰは、例えば、ＵＥビームフォーミングを無効にするための確認又は完了メッセージ内でネットワークに指示される。
【００７３】
別の方法では、ネットワークは測定を実行し、使用される候補ネットワークビーム及び／又はサービングＴＲＰについてＵＥに通知する。図１６のＡｌｔ１  １６０２及び図１６のＡｌｔ３  １６０６は、ＵＥビームフォーミングを無効にするこの方法の例を示す。
−  ネットワークは信号、例えば、ＵＬ基準信号又はスケジューリング要求を測定して、使用される候補ネットワークビーム及び／又はサービングＴＲＰを決定する。Ａｌｔ１  １６０２は、スケジューリング要求の場合を示し、Ａｌｔ３  １６０６は、ＵＬ基準信号の場合を示す。ＵＥは、ネットワーク構成に基づいて信号を送信する。そして、ネットワークはＵＥにシグナリングを提供して、ＵＥに候補ネットワークビーム及び／又はサービングＴＲＰを認識させる。
−  シグナリングは、ＵＥがＵＬ送信電力を調整するための情報、例えば、送信電力を増減させるオフセット値を提供することができる。
−  シグナリングは、例えば、ビーム掃引によって、繰り返し送信されることができ、ＵＥによる正常な受信を保証する。ＵＬグラントはシグナリングと共に提供されることができ、例えば、ＵＥにＵＥビームフォーミングを無効にするための確認又は完了メッセージを送信させる。
−  シグナリングは、ＵＥがＵＬ送信タイミング、例えば、タイミングアドバンスを調整するための情報を提供することができる。
【００７４】
別の方法では、ＵＥはランダムアクセス手順を開始する。図１６のＡｌｔ４  １６０８は、ＵＥビームフォーミングを無効にするこの方法の例を示す。
−  ランダムアクセス手順中に、候補ネットワークビーム及び／又はサービングＴＲＰを決定することができる。例えば、ランダムアクセス手順の信号を送信又は受信するために使用されるネットワークビーム及び／又はＴＲＰである、あるいはランダムアクセス手順中に、例えば、Ｍｓｇ２を介して割り当てられたネットワークビーム及び／又はＴＲＰである。
―  ＵＬ送信電力及び／又はＵＬ送信タイミングも、ランダムアクセス手順中に決定することができる。
−  その指示は、ハンドオーバ手順、セル内ハンドオーバ、セル間ハンドオーバ、ＲＡＴ間ハンドオーバを開始するために使用されるメッセージ又はサービングセルを追加又は変更するために使用されるメッセージによって搬送され得る。例えば、ＵＥビームフォーミングの無効化は、ハンドオーバ又はサービングセルの追加にのみ伴うことができる。
−  ＵＥは、ランダムアクセス手順を開始して、ＴＲＰにアクセスする。ＴＲＰは、その指示を送信するもの、指示と共に指示されたもの、ＵＥ測定に基づいて選択されるもの、又はＵＥによって受信されたＭｓｇ２の送信機であり得る。ＴＲＰは、ＵＥビームフォーミングを無効にした後のサービングＴＲＰとすることができる。
【００７５】
上記に説明した方法を介して、候補ネットワークビーム及び／又はサービングＴＲＰを決定した後、例えば、  ＵＥは、決定されたネットワークビーム及び／又はＴＲＰを明示的又は暗黙的にネットワークに示すことができる。例えば、ＵＥが、異なるネットワークビーム及び／又はＴＲＰに対応するスケジューリング要求に対して異なる無線リソースで構成されている場合、ＵＥは、決定されたネットワークビーム及び／又はＴＲＰに対応するリソースを選択して、スケジューリング要求を送信する。ＵＥは、ＵＥがスケジューリング要求を送信したいときに、決定されたネットワークビーム及び／又はＴＲＰに対応しないリソースを無視することもできる。別の例では、ＵＥは、ＵＬメッセージ、例えば、ＵＥビームフォーミングを無効にする応答、確認又は完了メッセージ内で、決定されたネットワークビーム及び／又はＴＲＰについての情報を提供する。
【００７６】
ＵＥビームフォーミングの無効化に応答して、ＵＬ送信電力を調整するために、スケジューリング要求の送信にパワーランピング（power  ramping）を適用することができる。ＵＥは、デフォルトの送信電力又はＵＥビームフォーミングを無効にする前に使用されていた送信電力でスケジューリング要求を送信することを開始することができる。スケジューリング要求の次の送信は、例えば、ＵＥがＵＬグラントを受信し損なうときに、前回のものと比較して１ステップ高い送信電力を使用することができる。ＵＥビームフォーミングを無効にした後の次のデータ及び／又はシグナリング送信の送信電力は、対応するＵＬグラントが受信されたスケジューリング要求の送信電力に基づくことができる。図１７は、スケジューリング要求のＵＬ送信電力を調整するための例示的な方法論１７００を示す。
【００７７】
ＵＥビームフォーミングを無効にする指示の受信に応答して、ＵＥは確認又は完了メッセージをネットワークに送信することができる。確認又は完了メッセージの送信は、ＵＥビームフォーミングが無効にされる前又は後に実行され得る。すなわち、ＵＥは、ＵＥビームフォーミングを使用してあるいは全方向に確認又は完了メッセージを送信し得る。現在進行中のすべての送信が終了した後に、ネットワークがＵＥに指示を送信することが可能である。図１８は、確認又は完了メッセージの送信のための例示的な方法論１８００を示す。候補ネットワークビーム及び／又はサービングＴＲＰが決定される、ＵＥに候補ネットワークビーム及び／又はサービングＴＲＰを認識させるシグナリングが受信される、ランダムアクセス手順が正常に完了する、ＵＥビームフォーミングを無効にするための確認又は完了メッセージがＵＥによって（正常に）送信される、あるいはＵＬグラントが受信されるときに、送信の中断又は終了が再開され得る。測定結果（例えば、ネットワークビーム固有の測定結果、ＴＲＰ固有の測定結果等）又は非周期的な測定レポートは、ＵＥビームフォーミングを無効にするための確認又は完了メッセージによって搬送される、あるいはそれと共に送信され得る。関連するパワーヘッドルームレポートは、例えば、ＵＥビームフォーミングの無効化、候補ネットワークビーム及び又はサービングＴＲＰの決定、かつ／あるいはＵＥに候補ネットワークビーム及び／又はサービングＴＲＰを認識させるシグナリングの受信に応答して、トリガ及び／又はレポートされる必要があり得る。
【００７８】
ビームを明示的に指示するために、ビーム固有の構成ごとに、例えば、インデックス、ビームのためのリソース、又はプリコーディング行列を使用してビームを区別することができる。図１９は、図１５、図１６、図１７及び図１８に示されたアイコンの意味を示す。
【００７９】
図２２は、ネットワークノードについての例示的な方法論を示す。フロー図２２００に示すように、ネットワークノードは、ＵＥの少なくとも１つのセルに対するＵＥビームフォーミングを有効又は無効にする第１の指示をＵＥに送信する（ステップ２２０２）。第１の指示は、ランダムアクセス手順を開始するために使用されることができる。この方法論は、ネットワークノードが第１の指示と共に第１の情報を送信することをさらに含むことができる（ステップ２２０４）。第１の情報は、ランダムアクセスに関する構成（又は構成情報）を少なくとも含むことができる。第１の指示及び第１の情報は、同じＲＲＣメッセージによって提供されることができる。
【００８０】
図２３は、ＵＥについての例示的な方法論を示す。フロー図２３００に示すように、ＵＥは、少なくとも１つのセルに対するＵＥビームフォーミングを有効又は無効にする第１の指示を受信する（ステップ２３０２）。ステップ２３０４では、ＵＥは、第１の指示の受信に応答して、少なくとも１つのアクションを実行する。アクションは、第１の指示の受信に応答して、ランダムアクセス手順を開始することを含むことができる。非限定的な例では、ＵＥは、第１の指示の受信に応答して、ＵＥビームフォーミングを有効にして、ランダムアクセス手順を実行する。非限定的な例では、ＵＥは、第１の指示と共に第１の情報を受信する。非限定的な例では、第１の情報は、少なくともランダムアクセスに関する構成である。非限定的な例では、第１の指示及び第１の情報は、同じＲＲＣメッセージによって提供される。非限定的な例では、ＵＥは、第１の指示に応答して、関連するパワーヘッドルームレポートをトリガする。
【００８１】
図２４は、ＵＥについての例示的な方法論を示す。フロー図２４００に示すように、ＵＥは、ＵＥビームフォーミングを有効にする第１の指示を受信する（ステップ２４０２）。ステップ２４０４では、ＵＥは、第１の指示／シグナリングの受信に応答して、ＵＥビームフォーミングを有効にして測定を実行する。ステップ２４０６では、ＵＥは、その測定に基づいて、送信及び／又は受信に使用される少なくとも１つのＵＥビームを決定／選択する。ステップ２４０８において、ＵＥは、その少なくとも１つのＵＥビームを介して送信及び／又は受信を実行する。
【００８２】
図２５は、ＵＥについての例示的な方法論を示す。フロー図２５００に示すように、ＵＥは、ＵＥビームフォーミングを無効にする第１の指示を受信する（ステップ２５０２）。ステップ２５０４では、ＵＥは、第１の指示の受信に応答して、ＵＥビームフォーミングを無効にして測定を行う。ステップ２５０６では、ＵＥは、その測定に基づいて送信及び／又は受信に使用される少なくとも１つの候補ネットワークビーム及び／又はサービングＴＲＰを決定／選択する。ステップ２５０８では、ＵＥは、その少なくとも１つの候補ネットワークビーム及び／又はサービングＴＲＰをネットワークノードに指示する。非限定的な例では、ＵＥは、少なくとも１つの候補ネットワークビーム及び／又はサービングＴＲＰに対応するスケジューリング要求の無線リソースを選択することによって、少なくとも１つの候補ネットワークビーム及び／又はサービングＴＲＰを指示する。非限定的な例では、ＵＥは、少なくとも１つの候補ネットワークビーム及び／又はサービングＴＲＰについての情報を通知／提供することによって、少なくとも１つの候補ネットワークビーム及び／又はサービングＴＲＰをネットワークノードに指示する。
【００８３】
図２６は、ＵＥについての例示的な方法論を示す。フロー図２６００に示すように、ＵＥは、ＵＥビームフォーミングを有効にする第１の指示を受信する（ステップ２６０２）。ステップ２６０４では、ＵＥは、第１の指示の受信に応答して、ＵＥビームフォーミングを有効にしてネットワークノードによって提供される第１のシグナリングを監視する。ステップ２６０６では、ＵＥは、第１のシグナリングに基づいて、送信及び／又は受信に使用される少なくとも１つのＵＥビームを決定する。ステップ２６０８では、ＵＥは、その少なくとも１つのＵＥビームを介して送信及び／又は受信を実行する。
【００８４】
図２７は、ネットワークノードについての例示的な方法論を示す。フロー図２７００に示すように、ネットワークノードは、ＵＥに対するＵＥビームフォーミングを有効にする第１の指示を送信する（ステップ２７０２）。ステップ２７０４では、ネットワークノードは、ＵＥビームフォーミングが有効にされた後に、送信及び／又は受信に使用されるＵＥビームをＵＥに認識させる第１のシグナリングをＵＥに送信する。
【００８５】
図２８は、ＵＥの例示的な方法論を示す。フロー図２８００に示すように、ＵＥは、ＵＥビームフォーミングを有効にする第１の指示を受信する（ステップ２８０２）。ステップ２８０４では、ＵＥは、第１のシグナリングの受信に応答して、ＵＥビームフォーミングを有効にしてランダムアクセス手順を実行する。ステップ２８０６では、ＵＥは、ランダムアクセス手順中に送信及び／又は受信に使用される少なくとも１つのＵＥビームを決定する。ステップ２８０８では、ＵＥは、その少なくとも１つのＵＥビームを介して送信及び／又は受信を実行する。
【００８６】
様々な非限定的な例では、図２２、図２３、図２４、図２５、図２６、図２７及び／又は図２８を参照して上記に説明した方法論は、ＵＥ及びネットワークノード又はそれらのコンポーネントに関連する１つ以上の機能、特徴及び特性でさらに明確にされ、補足され、補完され、強化されあるいは修正されることができる。
【００８７】
セル内でＵＥビームフォーミングを有効又は無効にする第１の指示は、セル又はＵＥの支援セルを介して送信又は受信される。支援セルは、プライマリセル、アンカーセル及び／又はＵＥのコントロールプレーン接続を処理するために使用されるセルである。
【００８８】
第１の情報は、少なくとも、ＵＥビーム固有のＵＬ基準信号の構成である。ＵＥビーム固有のＵＬ基準信号は周期的である。代替的には、ＵＥビーム固有ＵＬ基準信号は非周期的である。第１の情報は、少なくとも非ＵＥビーム固有のＵＬ基準信号、例えば、セル固有のＵＬ基準信号又はＵＥ固有のＵＬ基準信号の構成である。非ＵＥビーム固有のＵＬ基準信号は周期的である。代替的には、非ＵＥビーム固有のＵＬ基準信号は非周期的である。第１の情報は、少なくともネットワークビーム固有のＤＬ基準信号の構成である。ネットワークビーム固有のＤＬ基準信号は周期的である。代替的には、ネットワークビーム固有ＤＬ基準信号は非周期的である。
【００８９】
第１の情報は、少なくとも、同時に生成されるＵＥビームの数に関する情報である。第１の情報は、少なくとも、すべての可能な方向をカバーするために生成されるＵＥビームの数に関する情報である。第１の情報は、少なくとも、ＵＥによって生成されるＵＥビームについての方向を導出するために使用される情報である。第１の情報は、少なくとも、生成されるＵＥビームが通信するネットワークビームに関する情報である。第１の情報は、少なくとも、生成されるべきＵＥビームが通信するＴＲＰに関する情報である。
【００９０】
第１の情報又はその情報は、ＵＥビーム固有である。
【００９１】
第１の情報は、少なくとも、ランダムアクセスに関する構成である。ランダムアクセスに関する構成は、専用のランダムアクセスプリアンブルとすることができる。ランダムアクセスに関する構成は、プリアンブル送信のための時間／周波数リソースを含む。
【００９２】
第１の情報は、少なくとも、ＵＥビームフォーミング又はＵＥビームによって使用される送信電力を導出するための構成であり、例えば、送信電力を増減させるオフセット値である。第１の情報は、少なくとも、ＵＥビームフォーミングを使用せずにＵＥによって使用される送信電力を導出するための構成であり、例えば、送信電力を増減させるオフセット値である。
【００９３】
第１の情報は、サービング又は候補ネットワークビームが、例えば、下位レイヤ信号を介して変更されたときにＵＥによって適用される異なるネットワークビームに対応する構成セットを少なくとも含む。第１の情報は、サービング又は候補ＴＲＰが、例えば、下位レイヤ信号を介して変更されたときにＵＥによって適用される異なるＴＲＰに対応する構成セットを少なくとも含む。
【００９４】
第１の情報は、アップリンク送信タイミング、例えば、タイミングアドバンスを調整するための構成を少なくとも含む。第１の情報は、スケジューリング要求、例えば、周期性、無線リソースに関する構成を少なくとも含む。
【００９５】
ＵＥは、第１の指示の受信に応答してあるアクションを少なくとも実行する。アクションは、ＵＥビームフォーミングを使用して開始することを含む。代替的には、アクションは、ＵＥビームフォーミングを使用して停止することを含む。アクションは、ＵＬデータ及び／又はＵＬシグナリング（再）送信を中断することを含む。ＵＥは、関連するＵＬ  ＨＡＲＱバッファをフラッシュしない。アクションは、ＵＬデータ及び／又はＵＬシグナリング（再）送信を終了することを含む。アクションは、関連するＵＬ  ＨＡＲＱバッファをフラッシュすることを含む。アクションは、関連する構成済みＵＬリソース、例えば、ＳＰＳアップリンクグラントを廃棄することを含む。アクションは、関連する構成済みＵＬリソース、ＳＰＳアップリンクグラントを使用して停止することを含む。ＵＬシグナリングは、スケジューリング要求を含む。ＵＬシグナリングは、ＵＬ基準信号を含まない。ＵＬシグナリングは、ランダムアクセスのための信号を含まない。ＵＬシグナリングは、ビーム掃引によって送信される信号を含まない。アクションは、ＤＬデータ受信を中断することを含む。ＵＥは、関連するＤＬソフトバッファをフラッシュしない。アクションは、ＤＬデータ受信を終了することを含む。アクションは、関連するＤＬソフトバッファをフラッシュすることを含む。アクションは、関連する構成済みＤＬリソース、ＳＰＳダウンリンク割り当てを廃棄することを含む。アクションは、関連するＨＡＲＱエンティティをリセットすることを含む。アクションは、関連するＭＡＣエンティティをリセットすることを含む。
【００９６】
アクションは、関連する構成されたＤＬリソース、例えば、ＳＰＳダウンリンク割り当ての監視を中止することを含む。ＵＥは、ＤＬシグナリングの監視又は受信を中断又は終了しない。ＵＥは、ＤＬデータの監視又は受信を中断又は終了しない。ＤＬシグナリングは、ビーム掃引を使用してネットワークによって送信される。アクションは、任意の進行中のランダムアクセス手順を停止することを含む。このアクションには、ＵＬ送信電力を調整することを含む。ＵＬ送信電力は、デフォルト値に調整される。ＵＬ送信電力は、第１の情報に基づいて調整される。ＵＬ送信電力は、ＵＥ推定に基づいて調整される。アクションは、ＵＬ送信タイミングを調整することを含む。ＵＬ送信タイミングは、第１の情報に少なくとも基づいて調整される。ＵＬ送信タイミングは、アップリンク送信タイミングが同期していないことを考慮して調整される。アクションは、（非周期的）ＵＬ基準信号のための送信をトリガすることを含む。送信は、ＵＥビーム掃引によって送信される。
【００９７】
ＵＥは、ネットワークビーム固有のＤＬ基準信号を測定することによって、少なくとも１つのＵＥビームを決定する。ＵＥは、ネットワークビーム固有のＤＬ基準信号を測定することによって、少なくとも１つの候補ネットワークビーム及び／又はサービングＴＲＰを決定する。ネットワークビーム固有のＤＬ基準信号は、ビーム掃引によって送信される。ＵＥは、複数の時間間隔でネットワークビーム固有のＤＬ基準信号を監視する。ＵＥは、閾値より大きい受信電力を有するＵＥビームを選択することによって、少なくとも１つのＵＥビームを決定する。ＵＥは、閾値より大きい受信電力を有するネットワークビーム及び／又はＴＲＰを選択することによって、少なくとも１つの候補ネットワークビーム及び／又はサービングＴＲＰを決定する。ＵＥは、最も大きい受信電力を有するＵＥビームを選択することによって、少なくとも１つのＵＥビームを決定する。ＵＥは、最も大きい受信電力を有するネットワークビーム及び／又はＴＲＰを選択することによって、少なくとも１つの候補ネットワークビーム及び／又はサービングＴＲＰを決定する。ＵＥは、すべての可能なＵＥビームを使用して測定を実行する。ＵＥビームが決定されると、ＵＥは測定を停止する。ＵＥは、第１の情報、例えば、ＵＥビームが生成される方向を導出するために使用される情報に基づいて少なくとも１つのＵＥビームを決定する。ＵＥは、第１の情報によって指示されるネットワークビームから信号、例えば、ＤＬ基準信号を受信する資格があるＵＥビームを選択することによって、少なくとも１つのＵＥビームを決定する。ＵＥは、第１の指示を送信するために使用されるネットワークビームから信号、例えば、ＤＬ基準信号を受信することができるＵＥビームを選択することによって、少なくとも１つのＵＥビームを決定する。決定されるＵＥビームの数は１である。決定されるＵＥビームの数は、第１の指示又は第１の情報によって指示される、あるいはそれから導出される。
【００９８】
ＵＥは、第１の指示に応答して、確認又は完了メッセージを送信する。少なくとも１つのＵＥビームについての情報が、例えば、確認又は完了メッセージ内でネットワークに指示される。少なくとも１つのＵＥビームとネットワークビームとの間のマッピングについての情報が、例えば、確認又は完了メッセージ内でネットワークに指示される。少なくとも１つの候補ネットワークビーム及び／又はサービングＴＲＰについての情報が、例えば、確認又は完了メッセージ内でネットワークに指示される。
【００９９】
第１のシグナリングは、送信及び／又は受信に使用されるＵＥ候補ビームをＵＥに認識させる。第１のシグナリングは、送信及び／又は受信に使用される候補ネットワークビーム及び／又はサービングＴＲＰをＵＥに認識させる。第１のシグナリングは、ＵＥがＵＬ送信電力を調整するための情報、例えば、送信電力を増減させるオフセット値を提供する。第１のシグナリングは繰り返し送信されます。第１のシグナリングはビーム掃引によって送信される。第１のシグナリングは、ＵＥがＵＬ送信タイミングを調整するための情報、例えば、タイミングアドバンスを提供する。アップリンクグラントは、第１のシグナリングと共に提供される。
【０１００】
ランダムアクセス手順は、第１の指示の受信に応答して開始される。ＵＥは、ランダムアクセス手順に基づいて少なくとも１つのＵＥビームを決定する。ＵＥは、信号を送信又は受信するために使用されるＵＥビームを選択することによって、少なくとも１つのＵＥビームを決定する。例えば、ランダムアクセス手順のランダムアクセスプリアンブル（若しくはＭｓｇ１）又はランダムアクセス応答（若しくはＭｓｇ２）である。ＵＥは、例えば、ランダムアクセス応答又はＭｓｇ２を介して、ランダムアクセス手順中に割り当てられたＵＥビームを選択することによって、少なくとも１つのＵＥビームを決定する。ＵＥは、ランダムアクセス手順に基づいて少なくとも１つの候補ネットワークビーム及び／又はサービングＴＲＰを決定する。ＵＥは、信号を送信又は受信するために使用されるネットワークビーム及び／又はＴＲＰを選択することによって、少なくとも１つの候補ネットワークビーム及び／又はサービングＴＲＰを決定する。例えば、ランダムアクセス手順のランダムアクセスプリアンブル（若しくはＭｓｇ１）又はランダムアクセス応答（若しくはＭｓｇ２）である。ＵＥは、例えば、ランダムアクセス応答又はＭｓｇ２を介して、ランダムアクセス手順中に割り当てられたネットワークビーム及び／又はＴＲＰを選択することによって、少なくとも１つの候補ネットワークビーム及び／又はサービングＴＲＰを決定する。ＵＥは、ランダムアクセス手順中にＵＬ送信電力を決定する。ＵＥは、ランダムアクセス手順中のＵＬ送信タイミングを決定する。
【０１０１】
第１の指示は、ハンドオーバ手順、例えば、セル内ハンドオーバ、セル間ハンドオーバ、ＲＡＴ間ハンドオーバを開始するためのメッセージによって提供される。第１の指示は、サービングセルを追加又は修正するためのメッセージによって提供される。第１の指示は、ハンドオーバ手順を開始するために使用されないメッセージによって提供される。第１の指示は、サービングセルを追加又は修正するために使用されないメッセージによって提供される。第１の指示は、ハンドオーバ以外のメッセージ又はサービングセルを追加／修正するメッセージによって提供されない。
【０１０２】
ＵＥは、ＴＲＰにアクセスするためにランダムアクセス手順を開始する。ＴＲＰは、第１の指示を送信するネットワークノードである。ＲＰは、第１の指示と共に指示される。ＴＲＰは、ＵＥによって実行される測定に基づいて選択される。ＴＲＰは、ＵＥによって受信されるランダムアクセス応答（又はＭｓｇ２）の送信機である。
【０１０３】
ＵＥは、ＵＥが少なくとも１つのＵＥビームを決定すると、（中断又は終了から）ＵＬデータ／シグナリング送信及び／又はＤＬデータ受信）を再開する。ＵＥは、ＵＥが少なくとも１つの候補ネットワークビーム及び／又はサービングＴＲＰを決定すると、（中断又は終了から）ＵＬデータ／シグナリング送信及び／又はＤＬデータ受信を再開する。ＵＥは、ＵＥが第１のシグナリングを受信すると、（中断又は終了から）ＵＬデータ／シグナリング送信及び／又はＤＬデータ受信を再開する。ＵＥは、ランダムアクセス手順が正常に完了すると、（中断又は終了から）ＵＬデータ／シグナリング送信及び／又はＤＬデータ受信を再開する。ＵＥは、確認又は完了メッセージがＵＥによって（正常に）送信されると、（中断又は終了から）ＵＬデータ／シグナリング送信及び／又はＤＬデータ受信を再開する。ＵＥは、ＵＬグラントが受信されると、（中断又は終了から）ＵＬデータ／シグナリング送信及び／又はＤＬデータ受信を再開する。
【０１０４】
測定結果又は測定レポートは、確認又は完了メッセージと共に搬送される、あるいは送信される。測定結果又は測定レポートは、１つ以上のビーム固有の測定結果を含む。測定結果又は測定レポートは、１つ以上のＴＲＰ固有の測定結果を含む。測定レポートは非周期的である。
【０１０５】
ＵＥは、ＵＥビームフォーミングを有効にすることに応答して、関連するパワーヘッドルームレポートをトリガする。ＵＥは、ＵＥビームフォーミングを無効にすることに応答して、関連するパワーヘッドルームレポートをトリガする。ＵＥは、第１の指示に応答して、関連するパワーヘッドルームレポートをトリガする。ＵＥは、ＵＥビームの決定に応答して、関連するパワーヘッドルームレポートをトリガする。ＵＥは、候補ネットワークビーム及び／又はサービングＴＲＰの決定に応答して、関連するパワーヘッドルームレポートをトリガする。ＵＥは、第１のシグナリングの受信に応答して、関連するパワーヘッドルームレポートをトリガする。
【０１０６】
第１の指示は、ＲＲＣメッセージ、例えば、接続再構成メッセージによって提供される。第１の指示及び第１の情報は、同じＲＲＣメッセージ、例えば、接続再構成メッセージによって提供される。代替的には、第１の指示は、ＭＡＣシグナリングによって提供される。代替的には、第１の指示は、ＰＨＹシグナリングによって提供される。
【０１０７】
送信及び／又は受信はＵＥ固有である。送信及び／又は受信は、データ送信及び／又は受信である。送信及び／又は受信はシグナリング送信及び／又は受信である。送信及び／又は受信は、データチャネル、例えば、ＰＤＳＣＨ又はＰＵＳＣＨを介する。送信及び／又は受信は、制御チャネル、例えば、ＰＤＣＣＨ又はＰＵＣＣＨを介する。送信はスケジューリング要求である。スケジューリング要求は、パワーランピングを使用して送信される。例えば、次の送信は、１ステップ高い送信電力を使用する。送信は、確認又は完了メッセージである。確認又は完了メッセージがＵＥビームフォーミングを使用して送信される。代替的には、確認メッセージ又は完了メッセージは、全方向に送信される。
【０１０８】
ＵＥは、ＵＥビームフォーミングが可能である。ＵＥは、接続モード（又は接続状態）にある。ＵＥは、第１の指示の受信前に、ＵＥビームフォーミングについてのＵＥ能力をネットワークに提供する。ネットワークはネットワークノードである。ネットワークノードはＴＲＰである。ネットワークノードは基地局である。ネットワークノードは５Ｇノードである。ＵＬデータはＳＰＳです。ＤＬデータはＳＰＳである。送信は全方向に送信される。ＵＥは、異なるネットワークビーム及び／又はＴＲＰに対応するスケジューリング要求の無線リソースで構成される。ＵＥは、第１の指示の受信によりサービングセルを変更しない。ＵＥは、ＵＥビームフォーミングを有効（又は無効）にする前後でサービングセルを変更しない。サービングセルは、ＵＥのプライマリセルである。ビーム固有の構成ごとに、例えば、インデックス、ビームのためのリソース、又はプリコーディング行列が、ビームを区別するために使用される。
【０１０９】
本開示の非限定的な例によれば、ＵＥは、制御回路と、制御回路に設けられたプロセッサと、制御回路に設けられ、プロセッサに結合されたメモリとを含む。ここで、プロセッサは、メモリに記憶されたプログラムコードを実行して、先の実施形態のいずれかに規定された方法ステップを実行するように構成される。本開示の非限定的な例によれば、ネットワークノードは、制御回路と、制御回路に設けられたプロセッサと、制御回路に設けられ、プロセッサに結合されたメモリとを含む。ここで、プロセッサは、メモリに記憶されたプログラムコードを使用して、先の実施形態のいずれかに規定された方法ステップを実行するように構成される。
【０１１０】
本明細書で説明する本開示の様々な実施形態は、以下で説明する例示的な無線通信システム及びデバイスに適用されるあるいは実装されることができる。さらに、本開示の様々な実施形態は、主に３ＧＰＰアーキテクチャ参照モデルのコンテキストにおいて説明する。しかし、開示された情報により、当業者であれば、本明細書でさらに説明するように、３ＧＰＰ２ネットワークアーキテクチャ及び他のネットワークアーキテクチャにおいて、本開示の使用及び実装態様に容易に適応させることができると、理解する。
【０１１１】
以下に説明する例示的な無線通信システム及びデバイスは、ブロードキャストサービスをサポートする無線通信システムを使用する。無線通信システムは、音声、データ等の様々なタイプの通信を提供するために広く展開されている。これらのシステムは、符号分割多元接続（ＣＤＭＡ）、時分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ（ロングタームエボリューションアドバンスト）無線アクセス、３ＧＰＰ２  ＵＭＢ（ウルトラモバイルブロードバンド）、ＷｉＭａｘ、５Ｇのための３ＧＰＰ  ＮＲ（新しい無線：New  Radio）無線アクセス、又は他のいくつかの変調技術に基づくことができる。
【０１１２】
図２９は、本明細書で説明する様々な実施形態が実装されることができる例示的な非限定的な多元接続無線通信システム２９００を表すブロック図である。アクセスネットワーク２９０２（ＡＮ）は、複数のアンテナグループを含み、１つのグループはアンテナ２９０４及び２９０６を含み、別のグループはアンテナ２９０８及び２９１０を含み、追加のグループはアンテナ２９１２及び２９１４を含む。図２９では、アンテナグループごとに２つのアンテナしか示されていないが、より多く又はより少ないアンテナが各アンテナグループに対して利用されることができる。アクセス端末（ＡＴ）２９１６は、アンテナ２９１２及び２９１４と通信しており、アンテナ２９１２及び２９１４は、フォワードリンク２９１８を介してアクセス端末２９１６に情報を送信し、リバースリンク２９２０を介してアクセス端末２９１６から情報を受信する。アクセス端末（ＡＴ）２９２２は、アンテナ２９０６及び２９０８と通信しており、アンテナ２９０６及び２９０８は、フォワードリンク２９２４を介してアクセス端末（ＡＴ）２９２２に情報を送信し、リバースリンク２９２６を介してアクセス端末（ＡＴ）２９２２から情報を受信する。周波数分割複信（ＦＤＤ）では、通信リンク２９１８、２９２０、２９２４及び２９２６は、通信のために異なる周波数を使用することができる。例えば、フォワードリンク２９１８は、リバースリンク２９２０によって使用されるものとは異なる周波数を使用することができる。
【０１１３】
アンテナの各グループ及び／又はそれらが通信するように設計されている領域は、しばしばアクセスネットワークのセクタと呼ばれる。非限定的な態様では、アンテナグループのそれぞれは、アクセスネットワーク２９０２によってカバーされる領域のセクタ内のアクセス端末に通信するように設計されることができる。
【０１１４】
フォワードリンク２９１８及び２９２４を介した通信において、アクセスネットワーク２９０２の送信アンテナは、異なるアクセス端末２９１６及び２９２２のためのフォワードリンクの信号対雑音比を改善するためにビームフォーミングを利用することができる。また、アクセスネットワークが、そのカバレッジを通じてランダムに散在しているアクセス端末に送信するためにビームフォーミングを使用することで、通常、単一のアンテナを通じてそのすべてのアクセス端末に送信するアクセスネットワークよりも、隣接セルにあるアクセス端末への干渉をより少なくする。
【０１１５】
アクセスネットワーク（ＡＮ）は、端末と通信するのに使用される固定局又は基地局とすることができ、アクセスポイント、ＮｏｄｅＢ、基地局、エンハンスト基地局（enhanced  base  station）、ｅＮｏｄｅＢ、又は何らかの他の用語で称することもできる。アクセス端末（ＡＴ）は、ユーザ機器（ＵＥ）、ＵＥデバイス、通信デバイス、無線通信デバイス、モバイルデバイス、モバイル通信デバイス、端末、アクセス端末、又は何らかの他の用語で称することもできる。
【０１１６】
図３０は、送信機システム３００２（本明細書ではアクセスネットワークとも称する）及び受信機システム３００４（本明細書ではアクセス端末（ＡＴ）又はユーザ機器（ＵＥ）とも称する）の例示的な実施形態を示す例示的な非限定的なＭＩＭＯシステム３０００の簡略化されたブロック図である。
【０１１７】
非限定的な態様では、各データストリームは、それぞれの送信アンテナを介して送信されることができる。例示的なＴＸデータプロセッサ３００６は、そのデータストリームに対して選択された特定の符号化スキームに基づいて、各データストリームについてのトラフィックデータをフォーマットし、符号化し、インターリーブして、符号化データを提供することができる。
【０１１８】
各データストリームについての符号化データは、ＯＦＤＭ技術を使用してパイロットデータと多重化されることができる。パイロットデータは、代表的には、既知の方法で処理され、チャネル応答を推定するために受信機システム３００４で使用され得る既知のデータパターンである。次いで、各データストリームについての多重化されたパイロット及び符号化データは、各データストリームに対して選択された特定の変調スキーム（例えば、二位相偏移変調（ＢＰＳＫ）、四位相偏移変調（ＱＰＳＫ）、Ｍ変数又はそれ以上のＰＳＫ（Ｍ−ＰＳＫ）、Ｍ変数直交振幅変調（Ｍ−ＱＡＭ）等）に基づいて変調（例えば、シンボルマッピング）されて、変調シンボルを提供する。各データストリームについてのデータレート、符号化及び変調は、プロセッサ３００８によって実行される命令によって決定されることができる。
【０１１９】
次いで、すべてのデータストリームについての変調シンボルは、ＴＸ  ＭＩＭＯプロセッサ３０１０に提供され、変調シンボルをさらに処理することができる（例えば、ＯＦＤＭの場合）。次いで、ＴＸ  ＭＩＭＯプロセッサ３０１０は、複数（ＮＴ）の変調シンボルストリームをＮＴ送信機（ＴＭＴＲ）３０１２ａ〜３０１２ｔに提供する。特定の実施形態では、ＴＸ  ＭＩＭＯプロセッサ３０１０は、データストリームのシンボル及びシンボルが送信されているアンテナにビームフォーミング重みを適用する。
【０１２０】
各送信機３０１２は、それぞれのシンボルストリームを受信し、処理して、１つ以上のアナログ信号を提供し、さらにアナログ信号を調整（例えば、増幅、フィルタリング、アップコンバート等）して、  ＭＩＭＯチャネルを介した送信に適した変調信号を提供する。次いで、送信機３０１２ａ〜３０１２ｔからのＮＴ変調信号は、それぞれ、ＮＴアンテナ３０１４ａ〜３０１４ｔから送信される。
【０１２１】
受信機システム３００４では、送信された変調信号は、複数の（ＮＲ）アンテナ３０１６ａ〜３０１６ｒを通じて受信され、各アンテナ３０１６からの受信信号は、それぞれの受信機（ＲＣＶＲ）３０１８ａ〜３０１８ｒに提供される。各受信機３０１８は、それぞれの受信信号を調整（例えば、フィルタ、増幅、ダウンコンバート等）して、調整された信号をデジタル化してサンプルを提供し、さらにサンプルを処理して、対応する「受信」シンボルストリームを提供する。
【０１２２】
次いで、ＲＸデータプロセッサ３０２０は、特定の受信機処理技術に基づいてＮＲ受信機３０１８からのＮＲ受信シンボルストリームを受信し、処理して、ＮＴ「検出済み」シンボルストリームを提供する。次いで、ＲＸデータプロセッサ３０２０は、検出された各シンボルストリームを復調し、デインターリーブし、復号して、データストリームについてのトラフィックデータを復元する。ＲＸデータプロセッサ３０２０による処理は、送信機システム３００２でのＴＸ  ＭＩＭＯプロセッサ３０１０及びＴＸデータプロセッサ３００６によって実行されるものと相補的である。
【０１２３】
プロセッサ３０２２は、例えば、本明細書でさらに説明するように、どのプリコーディング行列を使用するかを周期的に決定する。プロセッサ３０２２は、行列インデックス部分及びランク値部分を含むリバースリンクメッセージを定式化する。
【０１２４】
リバースリンクメッセージは、通信リンク及び／又は受信データストリームに関する様々なタイプの情報を含むことができる。次いで、リバースリンクメッセージは、データソース３０２６からのある数のデータストリームについてのトラフィックデータも受信するＴＸデータプロセッサ３０２４によって処理され、変調器３０２８によって変調され、送信機３０１８ａ〜３０１８ｒによって調整され、送信機システム３００２に送信される。
【０１２５】
送信機システム３００２では、受信機システム３００４からの変調信号は、アンテナ３０１４によって受信され、受信機３０１２によって調整され、復調器３０１４によって復調され、ＲＸデータプロセッサ３０３２によって処理されて、受信機システム３００４によって送信された予約リンクメッセージを抽出する。次いで、プロセッサ３００８は、ビームフォーミング重みを決定するためにどのプリコーディング行列を使用するかを決定し、次いで、抽出されたメッセージを処理する。
【０１２６】
メモリ３０３４は、一時的に、プロセッサ３００８を通じて３０１４又は３０３２からのいくつかのバッファデータ／計算データを記憶する、データソース３０３６からいくつかのバッファデータを記憶する、又は、例えば、図１４、図２２〜図２８に関して、例えば、本明細書でさらに説明するような、いくつかの特定のプログラムコードを記憶するために使用されることができる。同様に、メモリ３０３８は、一時的に、プロセッサ３０２２を通じてＲＸデータプロセッサ３０２０からのいくつかのバッファ／計算データを記憶し、データソース３０２６からいくつかのバッファデータを記憶する、又は、例えば、図１４、図２２〜図２８に関して、例えば、本明細書でさらに説明するような、いくつかの特定のプログラムコードを記憶するために使用されることができる。
【０１２７】
上記で説明する例示的な実施形態を考慮して、開示される主題に従って実装されることができる装置及びシステムは、図１４、図２２〜図２８の図を参照することにより、より良く認識される。説明の簡略化のために、例示的な装置及びシステムはブロックの集合として示され、説明されているが、特許請求の範囲に記載された主題は、その順序、配置及び／又はブロックの番号によって限定されないと理解し、認識すべきである。いくつかのブロックは、異なる順序、配置で生じることができ、並びに／又は本明細書で示し、説明するものから他のブロック又はそれに関連する機能と組み合わせ及び／若しくは分配されることができる。さらに、以下で説明する例示的な装置及びシステムを実装するために、図示されたブロックのすべてが必要とされるわけではない。さらに、以下に開示され、本明細書を通して、例示的なデバイス及びシステム並びに／又は機能は、例えば、本明細書でさらに説明するように、そのような方法のコンピュータへの移送及び転送を容易にするために製品に記憶されることができると理解するべきである。本明細書において使用される、コンピュータ読み取り可能な媒体、製品等の用語は、有形のコンピュータ読み取り可能な記憶媒体などの任意のコンピュータ読み取り可能なデバイス又は媒体からアクセス可能なコンピュータプログラム製品を包含することを意図している。
【０１２８】
本明細書で説明する様々な技術が、ハードウェア又はソフトウェアに関連して、又は適切な場合には両方の組み合わせに関連して実装され得ることを理解することができる。本明細書において使用される、「デバイス」、「コンポーネント」、「システム」等の用語は、同様に、ハードウェア、ハードウェアとソフトウェアの組み合わせ、ソフトウェア、又は実行中のソフトウェアのいずれかのコンピュータ関連エンティティを参照することを意図している。例えば、「デバイス」、「コンポーネント」、「サブコンポーネント」、「システム」部分等は、プロセッサ上で実行しているプロセス、プロセッサ、オブジェクト、実行可能ファイル、実行スレッド、プログラム及び／又はコンピュータとすることができるが、これらに限られない。例として、コンピュータ上で実行しているアプリケーションとコンピュータの両方がコンポーネントとなり得る。１つ以上のコンポーネントは、プロセス及び／又は実行スレッド内に存在することができ、コンポーネントは、１つのコンピュータ上にローカライズされる、及び／又は２つ以上のコンピュータ間で分散されることができる。
【０１２９】
例示的なシステム、方法、シナリオ及び／又はデバイスの簡単な概要が提供されているが、開示される主題がそれに限定されないとさらに理解することができる。従って、本明細書で説明するような実施形態の範囲から逸脱することなく、様々な修正、変更、追加、及び／又は削除がなされ得るとさらに理解することができる。したがって、同様の非限定的な実装が使用されることができ、あるいは、修正及び追加が、対応する実施形態と同一又は等価の機能を実行するために、それを逸脱することなく、説明した実施形態に対してなされ得る。
【０１３０】
図３１は、開示される主題の様々な態様を実行するのに適した例示的な非限定的なデバイス又はシステム３１００を示す。デバイス又はシステム３１００は、本明細書でさらに説明するように、スタンドアロンデバイス若しくはその一部、特別にプログラムされたコンピューティングデバイス若しくはその一部（例えば、プロセッサに結合され、本明細書で説明する技術を実行するための命令を保持するメモリ）及び／又はいくつかのデバイス間に分散された１つ以上の協働コンポーネントを含む複合デバイス又はシステムである。一例として、例示的な非限定的なデバイス又はシステム３１００は、上記で説明したように、図１〜図３０に示された、又は図３２〜図３４に関して以下でさらに説明するように、例示的なデバイス及び／又はシステムのいずれか、又はそれらの一部を含むことができる。
【０１３１】
例えば、図３１は、ＵＥデバイス２９１６又は２９２２であり得る例示的なデバイス３１００を示す。別の非限定的な例では、図３１は、アクセスネットワーク２９０２、ｅＮＢ１１０又はＴＲＰ１２０、１２４若しくは１２８であり得る例示的なデバイス３１００を示す。デバイス３１００は、図１〜図２８及び関連する説明で示されるように、ビームフォーミング、ビーム掃引、セル選択、セル測定、セル評価及びＵＥデバイスとネットワークとの接続を実行するように構成されることができる。デバイス又はシステム３１００は、有形のコンピュータ読み取り可能な記憶媒体上にコンピュータ実行可能な命令を保持するメモリ３１０２を含むことができ、それらの命令はプロセッサ３１０４によって実行されることができる。例として、ＵＥ３１００は、ＵＥビームフォーミングを有効又は無効にする指示を受信することができる。ＵＥは、その指示の受信に応答して、ランダムアクセス手順を開始することができる。
【０１３２】
図３２は、本開示の様々な態様の組み込みに適した、ＵＥデバイス（例えば、ＡＴ２９１６、ＡＴ２９２２、受信機システム３００４、それらの一部、図１〜図３１に関して本明細書でさらに説明するようなもの等を含み、ビーム管理を実行するように構成されたＵＥデバイス）、基地局（例えば、ビームハンドリングのために構成された、アクセスネットワーク２９０２、送信機システム３００２、それらの一部等の基地局）等の例示的な非限定的な通信デバイス３２００の簡略化された機能ブロック図を示す。図３２に示すように、無線通信システムにおける例示的な通信デバイス３２００は、図２９でのＵＥ（又はＡＴ）２９１６及び２９２２を実現するために利用されることができる。無線通信システムは、例えば、図２９に関して上記で説明したような無線通信システムや、さらなる例としては、ＬＴＥシステム、ＮＲシステムなどであり得る。例示的な通信デバイス３２００は、入力デバイス３２０２、出力デバイス３２０４、制御回路３２０６、中央処理ユニット（ＣＰＵ）３２０８、メモリ３２１０、プログラムコード３２１２及び送受信機３２１４を含むことができる。例示的な制御回路３２０６は、ＣＰＵ３２０８を通じてメモリ３２１０内のプログラムコード３２１２を実行し、それによって通信デバイス３２００の動作を制御することができる。例示的な通信デバイス３２００は、キーボード、キーパッド等の入力デバイス３２０２を通じてユーザによって入力された信号を受信することができ、モニタ、スピーカ等の出力デバイス３２０４を通じて画像及び音声を出力することができる。例えば、図２９に関して上記で説明したように、例示的な送受信機３２１４は、無線信号を受信し、送信するのに使用されることができ、受信した信号を制御回路３２０６に搬送し、制御回路３２０６によって生成された信号を無線で出力する。
【０１３３】
したがって、本明細書で説明するさらなる非限定的な実施形態は、例示的な制御回路３２０６、制御回路（例えば、制御回路３２０６）に設けられたプロセッサ（例えば、ＣＰＵ３２０８など）、制御回路（例えば、制御回路３２０６）に設けられ、プロセッサ（例えば、ＣＰＵ３２０８など）に結合されたメモリ（例えば、メモリ３２１０）の１つ以上を含むことができるＵＥデバイス（例えば、ＡＴ２９１６、ＡＴ２９２２、受信機システム３００４、それらの一部、図１〜図２４に関して本明細書でさらに説明するようなもの等を含み、ビーム処理のために構成されたＵＥデバイス）を含むことができる。ここで、プロセッサ（例えば、ＣＰＵ３２０８など）は、本明細書で説明するような方法のステップ及び又は機能性を提供するために、メモリ（例えば、メモリ３２１０）に記憶されたプログラムコード（例えば、プログラムコード３２１２）を実行するように構成されている。非限定的な例として、例示的なプログラムコード（例えば、プログラムコード３２１２）は、図１〜図２４に関して本明細書で説明するような機能性を達成するように構成されたコンピュータ実行可能な命令及び／又はそれらの任意の組み合わせに加えて、図２１に関して上記で説明したようなコンピュータ実行可能な命令、その一部及び／又はそれに補足的若しくは補充的な命令を含むことができる。
【０１３４】
図３３は、本開示の様々な態様を組み込むのに適している、図３２に示した例示的なプログラムコード３２１２の簡略化されたブロック図３３００を示している。この実施形態においては、例示的なプログラムコード３２１２は、アプリケーションレイヤ３３０２、レイヤ３部分３３０４、及びレイヤ２部分３３０６を含み、レイヤ１部分３３０８に結合されることができる。レイヤ３部分３３０４は、概して、無線リソース制御を実行する。レイヤ２部分３３０６は、概して、リンク制御を実行する。レイヤ１部分３３０８は、概して、物理接続を実行する。ＬＴＥ、ＬＴＥ−Ａ、又はＮＲシステムの場合、レイヤ２部分３３０６は、無線リンク制御（ＲＬＣ）レイヤ及び媒体アクセス制御（ＭＡＣ）レイヤを含むことができる。レイヤ３部分３３０４は、無線リソース制御（ＲＲＣ）レイヤを含むことができる。さらに、上記で詳説されたように、例示的なプログラムコード（例えば、プログラムコード３２１２）は、図１〜図３４に関して本明細書で説明する機能を達成するように構成されたコンピュータ実行可能な命令及び／又はそれらの組み合わせに加えて、図３２に関して上記で説明される複数のコンピュータ実行可能な命令、その一部及び／又はそれに補足的又は補充的な命令を含むことができる。
【０１３５】
図３４は、本明細書で説明する実施形態による、開示される主題の様々な非限定的な態様を容易にすることができる例示のモバイルデバイス３４００（例えば、モバイルハンドセット、ＵＥ、ＡＴ等）の概略図を示す。本明細書では、モバイルハンドセット３４００が図示されているが、例えば、任意の数の他のモバイルデバイスとすることができる他のデバイスがあること、及びモバイルハンドセット３４００は、本明細書で説明する主題の実施形態についてのコンテキストを提供するために図示されているにすぎないと理解する。以下の記載は、様々な実施形態が実装され得る適切な環境３４００の例の簡潔かつ一般的な記載を提供することを意図している。明細書は、有体のコンピュータ読み取り可能な記憶媒体上で具現化されるコンピュータ実行可能な命令の一般的なコンテキストを含むが、当業者であれば、主題も他のプログラムモジュールとの関連で、及び／又はハードウェア及びソフトウェアの組み合わせとして実装されることができると理解する。
【０１３６】
概して、アプリケーション（例えば、プログラムモジュール）は、ルーティン、プログラム、コンポーネント、データ構造等を含むことができ、それらは、特定のタスクを実行する、又は特定の抽象データ型を実装する。さらに、当業者であれば、本明細書で説明する方法が、シングルプロセッサシステム又はマルチプロセッサシステム、ミニコンピュータ、メインフレームコンピュータ、のみならずパーソナルコンピュータ、ハンドヘルドコンピューティングデバイス、マイクロプロセッサベースの又はプログラム可能なコンシューマエレクトロニクス、及びその他同様のものを含め、他のシステム構成で実施されることができ、これらのシステム等の各々は、１つ以上の関連するデバイスに動作可能に結合されることができると認識する。
【０１３７】
コンピューティングデバイスは、代表的には、様々なコンピュータ読み取り可能な媒体を含むことができる。コンピュータ読み取り可能な媒体は、コンピュータによってアクセスされることができる任意の利用可能な記憶媒体を含むことができ、揮発性及び不揮発性の媒体の双方、取り外し可能及び取り外し可能でない媒体の双方を含む。限定ではなく例としては、コンピュータ読み取り可能な媒体は、読み取り可能なストレージ及び／又は通信媒体を含むことができる。有形のコンピュータ読み取り可能なストレージは、コンピュータ読み取り可能な命令、データ構造、プログラムモジュール、他のデータ等の情報の記憶のための任意の方法又は技術で実装される、揮発性及び／又は不揮発性媒体と、取り外し可能媒体及び／又は取り外し可能でない媒体とを含むことができる。有形のコンピュータ読み取り可能なストレージは、これらには限定されないが、ＲＡＭ、ＲＯＭ、ＥＥＰＲＯＭ、フラッシュメモリ若しくは他のメモリ技術、ＣＤ−ＲＯＭ、デジタルビデオディスク（ＤＶＤ）若しくは他の光学ディスクストレージ、磁気カセット、磁気テープ、磁気ディスクストレージ若しくは他の磁気ストレージデバイス、又は所望の情報を記憶するのに使用され、コンピュータによってアクセスされることができる任意の他の媒体を含むことができる。
【０１３８】
有体的なコンピュータ読み取り可能な媒体と対比される通信媒体は、代表的には、搬送波又は他のトランスポートメカニズム等の変調されたデータ信号の中のコンピュータ読み取り可能な命令、データ構造、プログラムモジュール又は他のデータを具現化し、任意の情報伝達媒体を含む。用語「変調されたデータ信号」は、本明細書でさらに説明しているように、例えば、１つ以上の特性のセットを有する、あるいは、信号内で情報を符号化する方法で変更された信号を意味する。限定ではなく、例として、通信媒体は、有線ネットワーク又は直接配線接続等の有線媒体と、音響、ＲＦ、赤外線、及び他の無線媒体等の無線媒体とを含む。上記の任意の組み合わせも、コンピュータ読み取り可能な記憶媒体と区別できる態様で、コンピュータ読み取り可能な通信媒体の範囲内に含まれるべきである。
【０１３９】
ハンドセット３４００は、オンボード動作及び機能のすべてを制御し処理するためのプロセッサ３４０２を含むことができる。メモリ３４０４は、データ及び１つ以上のアプリケーション（例えば、ブラウザ、アプリケーション等の通信アプリケーション等）の記憶のために、プロセッサ３４０２へのインタフェースを提供する。他のアプリケーションは、通信に関する動作及び／又は財務上の通信プロトコルをサポートすることができる。アプリケーション３４０６は、メモリ３４０４及び／又はファームウェア３４０８の中に記憶され、メモリ３４０４及び／又はファームウェア３４０８のいずれか又は双方から読みだされてプロセッサ３４０２によって実行されることができる。ファームウェア３４０８は、ハンドセット３４００を初期化する際に実行のための起動コードも記憶することができる。通信コンポーネント３４１０は、プロセッサ３４０２へのインタフェースを提供して、例えば、セルラネットワーク、ＶｏＩＰネットワーク等の外部システムとの有線／無線通信を容易にする。ここで、通信コンポーネント３４１０は、適切なセルラ送受信機３４１１（例えば、ＧＳＭ（登録商標）送受信機、ＣＤＭＡ送受信機、ＬＴＥ送受信機等）、対応する信号通信のための免許不要な送受信機３４１３（例えば、Wireless  Fidelity（ＷｉＦｉ（登録商標））、Worldwide  Interoperability  for  Microwave  Access（ＷｉＭａｘ（登録商標））等）等も含むことができる。ハンドセット３４００は、セルラフォン、移動通信能力を有するパーソナルデジタルアシスタント（ＰＤＡ）、メッセージ処理主体のデバイス等のデバイスとすることができる。通信コンポーネント３４１０は、地上無線ネットワーク（例えば、ブロードキャスト）、デジタル衛星無線ネットワーク、インターネットベースの無線サービス等からの通信の受信を容易にもする。
【０１４０】
ハンドセット３４００は、テキスト、画像及び動画の表示、電話機能（例えば、発信者番号機能等）、セットアップ機能、並びにユーザ入力のためのディスプレイ３４１２を含む。例えば、ディスプレイ３４１２は、マルチメディアコンテンツ（例えば、音楽メタデータ、メッセージ、壁紙、グラフィックス等）の表示に対応する（accommodate）ことができる「スクリーン」と称することもできる。ディスプレイ３４１２は、動画を表示することもでき、動画の一部を抜き出したものの生成、編集、及び共有を容易にすることができる。シリアルＩ／Ｏインタフェース３４１４は、プロセッサ３４０２と通信するように提供され、配線接続及び他のシリアル入力デバイス（例えば、キーボード、キーパッド及びマウス）を通じて有線／無線シリアル通信（例えば、ユニバーサルシリアルバス（ＵＳＢ）及び／又は、アメリカ電気電子通信学会（ＩＥＥＥ）１４９４）を容易にする。このことは、例えば、ハンドセット３４００の更新及びハンドセットについてのトラブルシューティングをサポートすることになる。音声能力は、音声Ｉ／Ｏコンポーネント３４１６によって提供され、例えば、ユーザが正しいキー又は正しいキーの組み合わせを押して、ユーザフィードバックを開始させる指示に関する音声信号の出力のためのスピーカを含むことができる。音声Ｉ／Ｏコンポーネント３４１６は、マイクロフォンにより音声信号の入力を容易にして、データ及び／又は電話音声データを記録もし、電話による会話のための音声信号を入力することを容易にもする。
【０１４１】
ハンドセット３４００は、加入者識別情報モジュール（ＳＩＭ）カード又はユニバーサルＳＩＭ３４２０のフォームファクタでのＳＩＣ（加入者識別情報コンポーネント）に対応するＳＩＭカード３４２０をプロセッサ３４０２とインタフェースするスロットインタフェース３４１８を含むことができる。しかし、ＳＩＭカード３４２０はハンドセット３４００内に組み込まれ、データ及びソフトウェアをダウンロードすることにより更新され得ると認識すべきである。
【０１４２】
ハンドセット３４００は、通信コンポーネント３４１０を通じてインターネットプロトコル（ＩＰ）データトラフィックを処理し、インターネットサービスプロバイダ（ＩＳＰ）又はブロードバンドケーブルプロバイダを通じた、例えば、インターネット、企業イントラネット、家庭用ネットワーク、パーソナルエリアネットワーク、セルラネットワーク等のＩＰネットワークからのＩＰトラフィックに対応する。このように、ＶｏＩＰトラフィックはハンドセット３４００によって利用されることができ、ＩＰベースのマルチメディアコンテンツは符号化された形態又は復号化された形態のいずれかで受信されることができる。
【０１４３】
動画処理コンポーネント（例えば、カメラ及び／又は関連するハードウェア、ソフトウェア等）は、符号化されたマルチメディアコンテンツを復号するために提供されることができる。動画処理コンポーネント３４２２は、動画の生成及び／又は共有を容易にすることを支援することができる。ハンドセット３４００は、バッテリー及び／又は交流（ＡＣ）電力サブシステムの形態で電源３４２４を含むこともでき、電源３４２４は、電力入力／出力（Ｉ／Ｏ）コンポーネント３４２６によって外部電力システム又は充電機器（図示せず）へのインタフェースを提供することができる。
【０１４４】
ハンドセット３４００は、受信された動画コンテンツを処理し、動画コンテンツを記録し、送信するための動画コンポーネント３４３０を含むこともできる。例えば、動画コンポーネント３４３０は、動画の生成、編集、及び共有を容易にすることができる。位置追跡コンポーネント３４３２は、ハンドセット３４００を地理的に位置特定することを容易にする。ユーザ入力コンポーネント３４３４は、上記で説明したように、ユーザによるデータの入力及び／又は選択を行うことを容易にする。ユーザ入力コンポーネント３４３４は、資金振込のための可能性のある受信者を選択し、振り込まれるように要求される金額を入力し、口座の制約及び／又は制限を示すのみならず、文脈により要求されるメッセージ及び他のユーザによる入力タスクを構成することを容易にすることもできる。ユーザ入力コンポーネント３４３４は、例えば、キーパッド、キーボード、マウス、スタイラスペン及び／又はタッチスクリーン等のような従来の入力デバイスの技術を含むことができる。
【０１４５】
再びアプリケーション３４０６を参照すると、ヒステリシス（履歴現象）コンポーネント３４３６は、ヒステリシスデータの処理及び分析を容易にし、これらの処理及び分析は、アクセスポイントと関連する時点を決定するのに利用される。ソフトウェアトリガコンポーネント３４３８は、ＷｉＦｉ（登録商標）送受信機１８１３がアクセスポイントのビーコンを検出したときに、ヒステリシスコンポーネント３４３６のトリガを容易にするのに提供されることができる。セッション開始プロトコル（ＳＩＰ）クライアント３４４０は、ハンドセット３４００が、ＳＩＰプロトコルをサポートし、加入者をＳＩＰ登録サーバに登録することを可能にする。アプリケーション３４０６は、とりわけ、上記で説明したように、ユーザインタフェースコンポーネント機能を容易にすることができる通信アプリケーション又はクライアント３４４６を含むこともできる。
【０１４６】
本開示の様々な態様を、上記で説明してきた。本明細書の教示は、様々な形態で実体化されることができ、本明細書で開示されるいずれかの特定の構造、機能、又はその両方が、単に代表例であることは明らかであるはずである。本明細書の教示に基づいて、当業者は、本明細書で開示される態様が、すべての他の態様とは独立に実装されることができ、これらの態様のうちの２つ以上が、様々な形で組み合わされ得ると認識すべきである。例えば、本明細書で示される複数の態様のうちのいずれかを使用して、装置が実装されることができる、あるいは方法が実施されることができる。さらに、本明細書で示される複数の態様のうちの１つ以上に加えて又はそれ以外に、他の構造、機能、又は構造と機能とを使用して、そのような装置が実装されることができる、あるいはそのような方法が実施されることができる。上記の概念のうちのいくつかの例として、いくつかの態様では、並列チャネルは、パルス反復頻度に基づいて確立されることができる。いくつかの態様では、並列チャネルは、パルス位置又はオフセットに基づいて確立されることができる。いくつかの態様では、並列チャネルは、時間ホッピングシーケンス（time  hopping  sequence）に基づいて確立されることができる。いくつかの態様では、並列チャネルは、パルス反復頻度、パルス位置又はオフセット、及び時間ホッピングシーケンスに基づいて、確立されることができる。
【０１４７】
当業者であれば、情報及び信号が、様々な異なる技術及び技法のいずれかを使用して表現され得ると理解する。例えば、上の説明全体で参照され得るデータ、命令、コマンド、情報、信号、ビット、シンボル及びチップは、電圧、電流、電磁波、磁場若しくは磁性粒子、光場若しくは光学粒子、又はそれらの任意の組合せによって表現されることができる。
【０１４８】
当業者であれば、本明細書で開示された態様に関連して説明された様々な例示的な論理ブロック、モジュール、プロセッサ、手段、回路、及びアルゴリズムステップは、電子ハードウェア（例えば、ソースコーディング又はなんらかの他の技法を使用して設計され得る、デジタル実装、アナログ実装、又はこれら２つの組合せ）、命令を組み込む様々な形式のプログラム又は設計コード（本明細書では便宜上「ソフトウェア」又は「ソフトウェアモジュール」と称することがある）又はこれら両方の組合せとして、実装され得るとさらに認識する。ハードウェアとソフトウェアとのこの相互互換性を明確に示すために、それらの機能性に関して、様々な例示的なコンポーネント、ブロック、モジュール、回路、及びステップを上記で一般的に説明してきた。そのような機能性が、ハードウェア又はソフトウェアのいずれとして実施されるのかは、特定の応用例と、システム全体に課せられる設計制約とに応じて決定される。当業者は、特定の応用例ごとに様々なやり方で、説明した機能性を実装することができるが、そのような実装に関する決定は、本発明の範囲からの逸脱を生じさせるものと解釈されるべきではない。
【０１４９】
さらに、本明細書に開示された態様に関連して説明された様々な例示的な論理ブロック、モジュール、及び回路は、集積回路（「ＩＣ」）、アクセス端末、又はアクセスポイント内に実装される、又はそれらによって実行されることができる。ＩＣは、本明細書で説明された機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブル論理デバイス、ディスクリートゲート若しくはトランジスタロジック、ディスクリートハードウェアのコンポーネント、電気コンポーネント、光学コンポーネント、機械コンポーネント又はそれらの任意の組み合わせを含むことができ、ＩＣ内、ＩＣの外部又はその両方に存在するコード又は命令を実行することができる。汎用プロセッサはマイクロプロセッサとすることができるが、代替として、プロセッサは、任意の従来のプロセッサ、コントローラ、マイクロコントローラ、又はステートマシンであってもよい。プロセッサは、例えば、ＤＳＰとマイクロプロセッサとの組み合わせ、複数のマイクロプロセッサ、ＤＳＰコアと併せた１つ以上のマイクロプロセッサ、又は他の任意のそのような構成である、コンピューティングデバイスの組み合わせとして実装されることもできる。
【０１５０】
任意の開示されたプロセスにおけるステップの任意の特定の順序又は階層は、サンプル的なアプローチの一例であると理解する。設計の好みに基づいて、本開示の範囲内にとどまりつつ、プロセスにおけるステップの特定の順序又は階層は再アレンジされ得ると理解する。添付の方法の請求項は、サンプル的な順で様々なステップの要素を提示しており、提示された特定の順序又は階層に限定されることを意味しない。
【０１５１】
本明細書で開示された態様に関連して説明した方法又はアルゴリズムのステップは、ハードウェア、プロセッサによって実行されるソフトウェアモジュール又はその２つの組み合わせで直接的に具現化されることができる。ソフトウェアモジュール（例えば、実行可能な命令及び関連データを含む）及び他のデータは、ＲＡＭメモリ、フラッシュメモリ、ＲＯＭメモリ、ＥＰＲＯＭメモリ、ＥＥＰＲＯＭメモリ等のデータメモリ、レジスタ、ハードディスク、リムーバブルディスク、ＣＤ−ＲＯＭ、又は本技術分野で知られている任意の他の形態のコンピュータ読み取り可能な記憶媒体に存在することができる。サンプル的な記憶媒体は、プロセッサが情報（例えば、コード又はプログラムコード）を記憶媒体から読み出し、情報を記憶媒体に書き込むことができるように、例えば、コンピュータ／プロセッサ（本明細書では便宜上「プロセッサ」と呼ばれることがある）などの機械に結合されることができる。サンプル的な記憶媒体は、プロセッサに統合されることができる。プロセッサ及び記憶媒体は、ＡＳＩＣ内に存在することができる。ＡＳＩＣは、ユーザ機器内に存在することができる。あるいは、プロセッサ及び記憶媒体は、ユーザ機器内の個別のコンポーネントとして存在することができる。さらに、いくつかの態様では、任意の適するコンピュータプログラム製品が、本開示の１つ以上の態様に関連するコードを含むコンピュータ読み取り可能媒体を含むことができる。いくつかの態様では、コンピュータプログラム製品は、包装材料を含むことができる。
【０１５２】
主題開示の様々な実施形態が、様々な非限定的な態様に関連して記載されているが、主題開示の実施形態は、さらに修正することが可能であると理解する。この出願は、概して、本開示の原理に従い、主題開示が関係する技術分野ではほとんど既知で慣行といえるような本開示のからの逸脱を含め、主題開示の任意の変形、使用又は適合を包含することを意図している。
【０１５３】
当業者であれば、本明細書に記述された方法でデバイス及び／又はプロセスを説明し、その後、そのような説明したデバイス及び／又はプロセスをシステムに統合するために技術慣行を使用することは一般的であると認識するであろう。すなわち、本明細書で説明したデバイス及び／又はプロセスの少なくとも一部は、合理的な量の実験を介してシステムに統合されることができる。当業者であれば、代表的なシステムは、システムユニットハウジング、ビデオディスプレイデバイス、揮発性、不揮発性メモリ等のメモリ、マイクロプロセッサ、デジタル信号プロセッサ等のプロセッサ、オペレーティングシステム、ドライバ、グラフィカルユーザインタフェース、アプリケーションプログラム等の計算エンティティ、タッチパッド、スクリーン等の１つ以上の相互作用デバイス並びに／又はフィードバックループ及び制御デバイスを含む制御システム（例えば、位置及び／若しくは速度を検知するためのフィードバックや、パラメータの移動及び／若しくは調整のための制御デバイス）を含むことができると理解する。代表的なシステムは、データコンピューティング／通信及び／又はネットワークコンピューティング／通信システムにおいて典型的に見られるような任意の適する市販のコンポーネントを利用して実装されることができる。
【０１５４】
開示された主題の様々な実施形態は、他のコンポーネント内に含まれる、又は他のコンポーネントに接続された異なるコンポーネントを示すことがある。そのように図示されたアーキテクチャは単なる例示であり、実際には、同じ及び／又は等価の機能を達成する多くの他のアーキテクチャが実装されることができると理解するべきである。概念的な意味では、同一及び／又は等価の機能を達成するためのコンポーネントの任意のアレンジメントは、所望の機能性が達成されるように効果的に「関連」する。それゆえ、本明細書において特定の機能性を達成するために組み合わされる任意の２つのコンポーネントは、アーキテクチャ又は中間コンポーネントに関係なく、所望の機能性が達成されるようにお互いに「関連」するとみなすことができる。同様に、そのように関連する任意の２つのコンポーネントは、所望の機能性を達成するために互いに、「動作可能に接続されている」、「動作可能に結合されている」、「通信可能に接続されている」及び／又は「通信可能に結合されている」ともみることができ、そのように関連することができる２つのコンポーネントは、所望の機能性を達成するために互いに「動作可能に結合可能である」又は「通信可能に結合可能である」ともみることができる。動作可能に結合可能である又は通信可能に結合可能であるものの特定の例としては、物理的に対となることが可能な、及び／又は物理的に相互作用するコンポーネント、無線で相互作用可能な及び／又は無線で相互作用するコンポーネントや、論理的に相互作用する、及び／又は論理的に相互作用可能なコンポーネントを含むが、これらに限定されない。
【０１５５】
本明細書で使用される実質的に任意の複数の及び／又は単数の用語に関して、当業者であれば、文脈及び／又は用途に対して適切であり得るように、複数から単数及び／又は単数から複数に変換することができる。様々な単数形／複数形への変形が、限定ではなく明瞭性を目的として本明細書において記述され得る。
【０１５６】
当業者であれば、概して、本明細書、特に、特許請求の範囲（例えば、請求項のボディ）で使用される用語は、概して、「オープン」形式の用語（例えば、用語「含んでいる」は、「含んでいるが、これに限定されない」と解釈されるべき、用語「有する」は、「少なくとも有する」と解釈されるべき、用語「含む」という用語は、「含むが、これに限定されない」と解釈されるべき等）を意図していると理解する。当業者であれば、さらに、導入された請求項の列挙のうちに特定の数が意図されている場合、そのような意図は、請求項に明示的に列挙されるものであり、そのような列挙がない場合は、そのような意図が存在しないと理解する。例えば、理解を助けるために、以下に添付された特許請求の範囲が、請求項の列挙に「少なくとも１つ」及び「１つ以上」の導入句の使用を含むことがある。しかし、そのような語句の使用によって、不定冠詞「ａ」又は「ａｎ」を導入した請求項の列挙が、そのように導入された請求項の列挙を含む特定の請求項を、そのような列挙を１つだけ含む実施形態に限定することを示唆しているものと解釈されるべきではない。これは、例え、１つの請求項が、「１つ以上」又は「少なくとも１つ」の導入句と、「ａ」、「ａｎ」等の不定冠詞（例えば、「ａ」及び／又は「ａｎ」は、「少なくとも１つ」又は「１つ以上」を意味すると解釈されるべきである）とを含む場合であってもである。請求項の列挙に定冠詞を導入した使用についても同様である。さらに、導入された請求項の列挙のうちに特定の数が明示的に記述されていても、当業者であれば、そのような列挙は少なくとも列挙された数を意味すると解釈すべきであると理解する（例えば、他の修飾語がない、「２つの列挙」だけのものは、少なくとも２つの列挙、又は２つ以上の列挙を意味する）。さらに、「Ａ、Ｂ及びＣ．．．のうちの少なくとも１つ」に類似する規約が使用される事例においては、概して、このような構成は、当業者がその規約を理解するであろう意味にあることを意図している（例えば、「Ａ、Ｂ及びＣのうちの少なくとも１つを有するシステム」は、Ａだけ有する、Ｂだけ有する、Ｃだけ有する、ＡとＢとを有する、ＡとＣとを有する、ＢとＣとを有する、及び／又はＡとＢとＣとを有するシステムを含むであろうが、これらに限定されない）。「Ａ、Ｂ又はＣ．．．のうちの少なくとも１つ」に類似した規約が使用される事例においては、概して、このような構成は、当業者がその規約を理解するであろう意味にあることを意図している（例えば、「Ａ、Ｂ又はＣのうちの少なくとも１つを有するシステム」は、Ａだけ有する、Ｂだけ有する、Ｃだけ有する、ＡとＢとを有する、ＡとＣとを有する、ＢとＣとを有する、及び／又はＡとＢとＣとを有するシステム含むであろうが、これらに限定されない）。当業者であれば、さらに、明細書、特許請求の範囲、又は図面のいずれにおいても、２つ以上の代替用語を提示する実質的に任意の論理和語及び／又は語句は、用語うちの１つ、用語のうちのいずれか１つ、両方の用語を含む可能性を期待していると理解するべきである。例えば、「Ａ又はＢ」という語句は、「Ａ」、「Ｂ」と「Ａ及びＢ」の可能性を含むと理解する。
【０１５７】
さらに、本開示の特徴又は態様をマーカッシュグループに関して説明する場合、当業者であれば、本開示が、マーカッシュグループの個々のメンバ又はメンバのサブグループに関して説明しているものとも理解する。
【０１５８】
当業者が理解するように、記載された明細書の提供に関することなどの任意の及びすべての目的のために、本明細書に開示されたすべての範囲は、任意の及びすべての可能なサブ範囲及びそのサブ範囲の組み合わせも包含する。任意の列挙された範囲は、少なくとも２分の１、３分の１、４分の１、５分の１、１０分の１等に分解された同じ範囲を十分に記述し、実施可能にしたものとして容易に理解することができる。非限定的な例として、本明細書で論じた各範囲は、下方の３分の１、真ん中の３分の１、上方の３分の１に容易に分解されることができる。当業者も理解するように、「〜まで」、「少なくとも」のような全ての言葉は列挙された数字を含み、上述したように、その後さらにサブ範囲に分解された範囲を示す。最後に、当業者が理解するように、範囲は各個々のメンバを含む。それゆえ、例えば、１〜３個のセルを有するグループは、１個、２個又は３個のセルを有するグループを指す。同様に、１〜５個のセルを有するグループは、１個、２個、３個、４個又は５個のセルを有するグループを指すなどである。
【０１５９】
前述から、開示された主題の様々な実施形態は、説明を目的として本明細書で説明されており、主題の開示の範囲及び精神から逸脱することなく様々な変更がなされ得ることに留意されたい。したがって、本明細書に開示された様々な実施形態は、限定を意図しておらず、真の範囲及び精神は添付の特許請求の範囲によって示されている。
【０１６０】
さらに、文言「例」及び「非限定的」は、本明細書では、例、実例又は事例として機能することを意味するために使用される。疑念を避けるために、本明細書に開示された主題は、そのような例に限定されない。さらに、本明細書において「例」、「実例」、「事例」及び／又は「非限定的」として説明した任意の態様又は設計は、必ずしも他の態様又は設計に対して好ましい又は有利なものとして解釈されないし、当業者に知られている等価の例示的な構造及び技術を排除することも意味しない。さらに、用語「含む」、「有する」及び「包含する」並びに他の同様の文言が、発明を実施するための形態又は特許請求の範囲のいずれかで使用される限りは、疑いを避けるために、そのような用語については、上述したように、任意の追加又は他の要素を排除することなく、オープンな遷移語としての用語「含む（comprising）」と同様のやり方で包括的であることを意図している。
【０１６１】
上述したように、本明細書で説明した様々な技術は、ハードウェア又はソフトウェアに関連して、適切な場合には両方の組み合わせと関連して実装されることができる。本明細書では、用語「コンポーネント」、「システム」等は、同じように、ハードウェア、ハードウェアとソフトウェアの組み合わせ、ソフトウェア又は実行中のソフトウェアのいずれかのコンピュータ関連エンティティを指すことを意図している。例えば、コンポーネントは、プロセッサ上で動作するプロセス、プロセッサ、オブジェクト、実行ファイル、実行スレッド、プログラム及び／又はコンピュータとすることができるが、これらに限定されない。例として、コンピュータ上で実行されるアプリケーションとコンピュータの両方ともコンポーネントとすることができる。さらに、１つ以上のコンポーネントがプロセス及び／又は実行スレッド内に存在することができ、コンポーネントは１つのコンピュータでローカルなものとするか、及び／又は２つ以上のコンピュータ間で分散させることができる。
【０１６２】
本明細書で説明したシステムは、いくつかのコンポーネント間の相互作用に関して説明することができる。そのようなシステム及びコンポーネントは、それらコンポーネント若しくは指定されたサブコンポーネント、指定されたコンポーネント若しくはサブコンポーネントのいくつか、若しくはそれらの一部及び／又は追加のコンポーネント並びに前述のものの様々な並び替え及び組み合わせを含むことができると理解することができる。サブコンポーネントは、親コンポーネント内に含まれるのではなく、他のコンポーネントと通信可能に結合されたコンポーネントとして実装されることもできる（階層型）。さらに、１つ以上のコンポーネントは、アグリゲーション機能を提供する単一のコンポーネントに組み合わせられる、又はいくつかの別々のサブコンポーネントに分割されること、及び、管理レイヤなどの任意の１つ以上の中間コンポーネントレイヤは、前述のように、統合された機能を提供するために、そのようなサブコンポーネントに通信可能に結合するように提供されることに留意すべきである。本明細書で説明した任意のコンポーネントは、本明細書では詳細に説明していないものの当業者には一般的に知られている１つ以上の他のコンポーネントと相互作用することもできる。
【０１６３】
前述したように、本明細書で説明した例示的システムを考慮して、説明した主題に従って実装され得る方法は、様々な図のフローチャートを参照してより良く認識することができ、その逆も同様である。説明を簡単にする目的で、本方法を一連のブロックで示し説明しているが、いくつかのブロックは、本明細で示し説明したものとは異なる順序、及び／又は他のブロックと同時に生じることができるため、特許請求の範囲に記載された主題は、ブロックの順序によって限定されないと理解し、認識するべきである。フローチャートを介して非連続的又は分枝的なフローが示されている場合、同じ又は同様の結果を達成する様々な他の分岐、フロー経路及びブロックの順序が実装され得ると理解することができる。さらに、以下に説明する方法を実装するために示したブロックのすべてが必要とされるわけではない。
【０１６４】
開示された主題を開示された実施形態及び様々図に関連して説明したが、他の同様の実施形態が使用されることができ、又は開示された主題を逸脱することなく開示された主題と同じ機能を実行するために、説明した実施形態に修正及び追加がなされ得ると理解するべきである。さらに、複数の処理チップ又は複数のデバイスが、本明細書で説明した１つ以上の機能のパフォーマンスを共有することができ、同様に、複数のデバイスにわたったストレージをもたらすことができる。他の例では、本明細書に示し説明したように、プロセスパラメータ（例えば、構成、コンポーネントの数、コンポーネントのアグリゲーション、プロセスステップのタイミング及び順序、プロセスステップの追加及び／又は削除、前処理及び／又は後処理のステップの追加等）を変化させて、提供された構造、デバイス及び方法をさらに最適化することができる。いずれにせよ、本明細書で説明したシステム、構造及び／又はデバイスと、これらに関連する方法は、開示される主題の様々な態様において多くの用途等を有する。したがって、主題の開示は、いずれかの単一の実施形態に限定されるべきではなく、むしろ添付の特許請求の範囲に従った広さ、精神及び範囲で解釈されるべきである。
【図１】
2018029333.tif 000003
【図２】
2018029333.tif 000004
【図３】
2018029333.tif 000005
【図４】
2018029333.tif 000006
【図５】
2018029333.tif 000007
【図６】
2018029333.tif 000008
【図７】
2018029333.tif 000009
【図８】
2018029333.tif 000010
【図９】
2018029333.tif 000011
【図１０】
2018029333.tif 000012
【図１１】
2018029333.tif 000013
【図１２】
2018029333.tif 000014
【図１３】
2018029333.tif 000015
【図１４】
2018029333.tif 000016
【図１５】
2018029333.tif 000017
【図１６】
2018029333.tif 000018
【図１７】
2018029333.tif 000019
【図１８】
2018029333.tif 000020
【図１９】
2018029333.tif 000021
【図２０】
2018029333.tif 000022
【図２１】
2018029333.tif 000023
【図２２】
2018029333.tif 000024
【図２３】
2018029333.tif 000025
【図２４】
2018029333.tif 000026
【図２５】
2018029333.tif 000027
【図２６】
2018029333.tif 000028
【図２７】
2018029333.tif 000029
【図２８】
2018029333.tif 000030
【図２９】
2018029333.tif 000031
【図３０】
2018029333.tif 000032
【図３１】
2018029333.tif 000033
【図３２】
2018029333.tif 000034
【図３３】
2018029333.tif 000035
【図３４】
2018029333.tif 000036
【外国語明細書】
2018029333000001.pdf